(57)【要約】本発明のディスクカートリッジは、ケース本体１０と、シャッタ１１と、弾性部材７とを備える。ケース本体１０には、側面に達するヘッド開口部１２と、保持凹部２６を底部に有するシャッタ開放溝２４を設ける。シャッタ部１１は弾性部材７によってヘッド開口部１２が閉じるように付勢されている。これにより、記録再生ヘッドが、ケース本体１０と干渉することを防止し、ディスクカートリッジの幅を小さくすることができる。また、弾性部材７の反力でディスクカートリッジが飛び出すのを防止するために、ディスク駆動装置に設けられる捕捉体が、保持凹部２６から脱落しにくくなり、また、捕捉体がヘッドと干渉するのを防止する。【特許請求の範囲】
【請求項１】
ディスク状の情報記録媒体を回転自在に収納するケース本体であって、情報の記録および／または再生を行うディスク駆動装置へ挿入する方向に対して平行であり、かつ、互いに対向している第１および第２の側面、前記第１および第２の側面に挟まれた底面、前記底面の一部に設けられ、前記情報記録媒体の一部を露出させるヘッド開口部、前記挿入方向に沿って伸びるように前記第１の側面に設けられ、前記ディスク駆動装置のシャッタオープナが移動するためのシャッタ開放溝、および、前記シャッタ開放溝の底部に設けられた保持凹部を有するケース本体と、
前記シャッタ開放溝内に突出した操作部を有し、前記挿入方向と平行に摺動することによって前記ヘッド開口部を開放または閉塞するシャッタと、
前記ヘッド開口部を閉塞するように前記シャッタを付勢する弾性部材と、
を備えたディスクカートリッジ。
【請求項２】
前記ヘッド開口部は、前記第１の側面に達するように前記第１の側面および前記底面に設けられている請求項１に記載のディスクカートリッジ。
【請求項３】
前記シャッタ開放溝および前記保持凹部と干渉しないように前記ヘッド開口部は前記第１の側面に設けられている請求項２に記載のディスクカートリッジ。
【請求項４】
前記ヘッド開口部は、前記第１の側面に設けられた側面開口を有し、前記側面開口は前記シャッタ開放溝よりも前記底面側に位置している請求項３に記載のディスクカートリッジ。
【請求項５】
前記ケース本体は、上ハーフおよび下ハーフを含み、前記保持凹部は、前記下ハーフに形成されたリブによって前記下ハーフと一体に形成されている請求項１から４のいずれかに記載のディスクカートリッジ。
【請求項６】
前記ケース本体は、前記第１の側面および前記底面、ならびに、前記第２の側面および前記底面にそれぞれ設けられた保持切り欠きを有する請求項１から５のいずれかに記載のディスクカートリッジ。
【請求項７】
前記ケース本体は、前記シャッタ開放溝と平行に延びており、前記弾性部材が摺動するための弾性部材摺動溝と、弾性部材摺動溝の一端に設けられた凹部とを前記第１の側面に有し、前記弾性部材は、前記シャッタ部が前記ヘッド開口部を閉塞した状態において、前記凹部と係合して、前記シャッタ部が移動しないように前記シャッタ部をロックする請求項１から６のいずれかに記載のディスクカートリッジ。
【請求項８】
前記シャッタは、前記ヘッド開口部を覆うシールドと前記操作部を有するロック解除部材とを含み、前記シャッタオープナが前記操作部と当接することによって、前記ロック解除部材が前記弾性部材と前記凹部との係合を解除し、前記シャッタオープナが前記弾性部材の付勢力に抗して前記シャッタ部を移動させる請求項７に記載のディスクカートリッジ。
【請求項９】
前記ケース本体は、前記ディスク駆動装置へ挿入する際、前記ディスク駆動装置と対向する位置にある第３の側面および前記第３の側面と対向する第４の側面を有し、
前記第３の側面に開口が形成されるように前記シャッタ開放溝は前記第３の側面に達している請求項１から７のいずれかに記載のディスクカートリッジ。
【請求項１０】
情報記録面を有する前記ディスク状の情報記録媒体をさらに備え、シャッタの開放時において前記情報記録面の一部が前記ヘッド開口部から露出するように前記情報記録媒体が前記ケース本体に収納されている請求項１から９のいずれかに記載のディスクカートリッジ。
【請求項１１】
前記ケース本体は前記第１および第２の側面に挟まれており、前記底面と対向する上面を有し、
前記情報記録媒体がディスク駆動装置内において、情報の記録および／または再生を行うことが可能なように保持された状態において、前記情報記録媒体の情報記録面より上面側に前記保持凹部が位置するよう、前記保持凹部がシャッタ開放溝の底部に設けられている請求項１０に記載のディスクカートリッジ。
【請求項１２】
前記保持凹部は、前記ケース本体の上面と底面との間の上半分に位置するよう前記保持凹部がシャッタ開放溝の底部に設けられている請求項１０に記載のディスクカートリッジ。
【請求項１３】
シャーシと、
前記シャーシに支持されており、ターンテーブルを有するモータと、
前記シャーシに支持されており、情報の記録および／または再生を行うヘッドと、
請求項１から１２のいずれかに規定されるディスクカートリッジを挿入する挿入口、および、前記ディスクカートリッジを保持する空間を有するホルダであって、前記ターンテーブルと干渉することなく、前記ディスクカートリッジを前記挿入口から出し入れすることが可能な第１の位置、および、前記空間に保持されたディスクカートリッジの情報記録媒体を前記ターンテーブルに載置する第２の位置をとり得るように前記シャーシに対して回動可能に取り付けられたホルダと、
前記ホルダにスライド可能なように設けられており、前記ホルダに挿入されたディスクカートリッジを前記挿入口から排出するように前記ディスクを付勢するスライダと、
前記スライダに接続されており、前記ディスクカートリッジの保持凹部と係合する捕捉体と、
を備え、
前記ディスクカートリッジが保持されていない状態で前記ホルダが第２の位置にあるように前記ホルダを回転させたとき、前記捕捉体が前記ヘッドと干渉しないように前記捕捉体が前記ホルダに設けられているディスク駆動装置。
【発明の詳細な説明】
【技術分野】
【０００１】  本発明は磁気ディスク、光ディスク等のディスク状情報媒体を収納するディスクカートリッジに関する。
【背景技術】
【０００２】  音声や映像、コンピュータ用データなどを記録するために、ディスク状情報記録媒体（以下ディスクと称する場合がある）が近年広く用いられている。また、このようなディスクに情報を記録したり、ディスクに記録されている情報を再生したりするために、光や磁気などを用いて記録・再生を行うディスク駆動装置が開発されている。【０００３】  ディスクの記録密度を高める技術も開発されており、これにともなって、ディスクムービーカメラのようなモバイル機器に搭載可能なより大容量でかつ小型のディスク装置が望まれている。このためにはディスクカートリッジを小型化することも必要である。【０００４】  一般に、記録可能なディスクは、ディスクカートリッジに収納され、ディスクに埃や指紋の付着するのを防いでいる。特に、記録密度の高いディスクほど埃や指紋に敏感になるため、防塵性の良いディスクカートリッジが必要である。【０００５】  この分野の従来例としては、例えば特許文献１が知られている。特許文献１に開示されている技術は、ＭＤ（ミニディスク）に採用されている。具体的には、ディスクカートリッジは、ディスクの一部を露出して記録再生ヘッドを挿入するヘッド開口部と、ヘッド開口部を閉塞するシャッタとを備える。シャッタは、ディスクカートリッジをディスク駆動装置に挿入する方向と同じ方向にスライドするように構成されており、シャッタを閉じた状態でロックするロック部材が設けられている。【０００６】  このシャッタは、およそ矩形の底部を有するＵ字状の断面を有し、ディスクカートリッジ本体を挟み込んでいる。ディスクカートリッジ本体には挿入方向に延びる係合溝が設けられており、シャッタに設けられた抜け止め突起が係合溝と係合することによって、シャッタが本体から脱落することなく、挿入方向にスライドする。【０００７】  ロック部材はヘッド開口部よりも挿入方向の先端側に設けられている。また、ディスク駆動装置には、ロック部材のロックを解除するためにカートリッジホルダの内側面に固定されたオープナ爪が設けられている。ディスクカートリッジをディスク駆動装置に装填する場合、ホルダにディスクカートリッジを挿入する。このとき、ディスクカートリッジの側面に設けられた溝内をオープナ爪が移動し、ロック部材を押しつけてロックの解除を行う。その後、オープナ爪がシャッタと係合し、シャッタを開放させながらディスクカートリッジが挿入される。挿入の完了によって、ヘッド開口部も開放される。【０００８】  ディスクカートリッジをディスク駆動装置から抜き取る際には、オープナ爪はシャッタを閉じることはできない。このため、カートリッジホルダの内側面に板バネを設けて、シャッタ側面の穴に板バネを係合させる。板バネがシャッタを保持した状態でディスクカートリッジをカートリッジホルダから排出させることにより、シャッタがヘッド開口部を閉じる。【０００９】  このように、特許文献１に開示されたディスクカートリッジのシャッタ駆動機構は簡単な構造を備えるため、特に小型のディスクを実現するのに適している。【００１０】  また、特許文献２は、シャッタを閉じる方向に付勢する構造を備え、落下衝撃等でシャッタが開いてしまうのを防ぐことのできるディスクカートリッジを開示している。このディスクカートリッジはシャッタを閉じる方向に付勢するばねと、ディスク駆動装置に設けられた捕捉体に係合するための保持凹部とを備える。ディスクカートリッジの装填や排出時には、ディスク駆動装置の捕捉体がディスクカートリッジの保持凹部と係合してディスクカートリッジを保持することにより、ばねの反力によってディスクカートリッジがディスク駆動装置から飛び出すのを防いでいる。
【特許文献１】特許第３０３０８９４号明細書
【特許文献２】特開２０００−１７３２２３号公報
【発明の開示】
【発明が解決しようとする課題】
【００１１】  しかしながら、従来のディスクカートリッジには以下のような問題があった。【００１２】  特許文献１のディスクカートリッジでは、ヘッド開口部の外側にシャッタをガイドする係合溝を設ける必要があり、係合溝を越えて側面側にヘッド開口部を広げることができない。このため、記録・再生ヘッドがディスクの最外周をアクセスしているときでもディスクカートリッジの係合溝を構成する構造と干渉しないように記録・再生ヘッドの大きさを制限する必要が生じる。記録・再生ヘッドの大きさを制約しないようにするためには、ディスクの最外周から係合溝までの距離を大きくする必要があり、このことはディスクカートリッジの外形が大きくなってしまうという別の問題を生じさせる。【００１３】  また、特許文献２のディスクカートリッジでは、保持凹部はカートリッジ底面に設けられている。このため、シャッタがばねの力によって閉塞する際、捕捉体が保持凹部から外れやすく、確実にディスクカートリッジを保持することが困難な場合があった。【００１４】  本発明は、上記従来技術の少なくとも１つを解決し、小型で防塵性の良いディスクカートリッジを提供することを目的とする。
【課題を解決するための手段】
【００１５】  本発明のディスクカートリッジは、ディスク状の情報記録媒体を回転自在に収納するケース本体であって、情報の記録および／または再生を行うディスク駆動装置へ挿入する方向に対して平行であり、かつ、互いに対向している第１および第２の側面、前記第１および第２の側面に挟まれた底面、前記底面の一部に設けられ、前記情報記録媒体の一部を露出させるヘッド開口部、前記挿入方向に沿って伸びるように前記第１の側面に設けられ、前記ディスク駆動装置のシャッタオープナが移動するためのシャッタ開放溝、および、前記シャッタ開放溝の底部に設けられた保持凹部を有するケース本体と、前記シャッタ開放溝内に突出した操作部を有し、前記挿入方向と平行に摺動することによって前記ヘッド開口部を開放または閉塞するシャッタと、前記ヘッド開口部を閉塞するように前記シャッタを付勢する弾性部材とを備える。【００１６】  ある好ましい実施形態において、前記ヘッド開口部は、前記第１の側面に達するように前記第１の側面および前記底面に設けられている。【００１７】  ある好ましい実施形態において、前記シャッタ開放溝および前記保持凹部と干渉しないように前記ヘッド開口部は前記第１の側面に設けられている。【００１８】  ある好ましい実施形態において、前記ヘッド開口部は、前記第１の側面に設けられた側面開口を有し、前記側面開口は前記シャッタ開放溝よりも前記底面側に位置している。【００１９】  ある好ましい実施形態において、前記ケース本体は、上ハーフおよび下ハーフを含み、前記保持凹部は、前記下ハーフに形成されたリブによって前記下ハーフと一体に形成されている。【００２０】  ある好ましい実施形態において、前記ケース本体は、前記第１の側面および前記底面、ならびに、前記第２の側面および前記底面にそれぞれ設けられた保持切り欠きを有する。【００２１】  ある好ましい実施形態において、前記ケース本体は、前記シャッタ開放溝と平行に延びており、前記弾性部材が摺動するための弾性部材摺動溝と、弾性部材摺動溝の一端に設けられた凹部とを前記第１の側面に有し、前記弾性部材は、前記シャッタ部が前記ヘッド開口部を閉塞した状態において、前記凹部と係合して、前記シャッタ部が移動しないように前記シャッタ部をロックする。【００２２】  ある好ましい実施形態において、前記シャッタは、前記ヘッド開口部を覆うシールドと前記操作部を有するロック解除部材とを含み、前記シャッタオープナが前記操作部と当接することによって、前記ロック解除部材が前記弾性部材と前記凹部との係合を解除し、前記シャッタオープナが前記弾性部材の付勢力に抗して前記シャッタ部を移動させる。【００２３】  ある好ましい実施形態において、前記ケース本体は、前記ディスク駆動装置へ挿入する際、前記ディスク駆動装置と対向する位置にある第３の側面および前記第３の側面と対向する第４の側面を有し、前記第３の側面に開口が形成されるように前記シャッタ開放溝は前記第３の側面に達している。【００２４】  ある好ましい実施形態において、ディスクカートリッジは、情報記録面を有する前記ディスク状の情報記録媒体をさらに備え、シャッタの開放時において前記情報記録面の一部が前記ヘッド開口部から露出���るように前記情報記録媒体が前記ケース本体に収納されている。【００２５】  ある好ましい実施形態において、前記ケース本体は前記第１および第２の側面に挟まれており、前記底面と対向する上面を有し、前記情報記録媒体がディスク駆動装置内において、情報の記録および／または再生を行うことが可能なように保持された状態において、前記情報記録媒体の情報記録面より上面側に前記保持凹部が位置するよう、前記保持凹部がシャッタ開放溝の底部に設けられている。【００２６】  ある好ましい実施形態において、前記保持凹部は、前記ケース本体の上面と底面との間の上半分に位置するよう前記保持凹部がシャッタ開放溝の底部に設けられている。【００２７】  本発明のディスク駆動装置は、シャーシと、前記シャーシに支持されており、ターンテーブルを有するモータと、前記シャーシに支持されており、情報の記録および／または再生を行うヘッドと、請求項１から１２のいずれかに規定されるディスクカートリッジを挿入する挿入口、および、前記ディスクカートリッジを保持する空間を有するホルダであって、前記ターンテーブルと干渉することなく、前記ディスクカートリッジを前記挿入口から出し入れすることが可能な第１の位置、および、前記空間に保持されたディスクカートリッジの情報記録媒体を前記ターンテーブルに載置する第２の位置をとり得るように前記シャーシに対して回動可能に取り付けられたホルダと、前記ホルダにスライド可能なように設けられており、前記ホルダに挿入されたディスクカートリッジを前記挿入口から排出するように前記ディスクを付勢するスライダと、前記スライダに接続されており、前記ディスクカートリッジの保持凹部と係合する捕捉体と、を備え、前記ディスクカートリッジが保持されていない状態で前記ホルダが第２の位置にあるように前記ホルダを回転させたとき、前記捕捉体が前記ヘッドと干渉しないように前記捕捉体が前記ホルダに設けられている。
【発明の効果】
【００２８】  本発明のディスクカートリッジによれば、シャッタを閉じる方向に付勢する弾性部材を備えているため、ヘッド開口部を開放すべきとき以外は確実にヘッド開口部を閉塞することによって、防塵性を高めることができる。また、保持凹部をシャッタ開放溝の中に設けているので、弾性部材の反力を防ぐためにディスク駆動装置に設けた捕捉体が、保持凹部から脱落しにくく、かつ、捕捉体と記録再生ヘッドのレンズアクチュエータとの干渉を避けることができる。これにより、小型で防塵性の良いディスクカートリッジが得られる。
【図面の簡単な説明】
【００２９】
【図１】本発明によるディスクカートリッジの実施形態を示す分解斜視図である。
【図２】図１に示すディスクカートリッジの外観斜視図であって、シャッタが閉じた状態を示している。
【図３】図１に示すディスクカートリッジの外観斜視図であって、シャッタが開いた状態を示している。
【図４】図１に示すディスクカートリッジに対応したディスク駆動装置の構造を示す斜視図である。
【図５Ａ】図４に示すディスク駆動装置に図１に示すディスクカートリッジを装填する途中の状態を示す平面図である。
【図５Ｂ】図４に示すディスク駆動装置に図１に示すディスクカートリッジを装填する途中の状態を示す平面図である。
【図５Ｃ】図４に示すディスク駆動装置に図１に示すディスクカートリッジが装填された状態を示す平面図である。
【図５Ｄ】図４に示すディスク駆動装置から図１に示すディスクカートリッジを排出した状態を示す平面図である。
【図６】図１に示すディスクカートリッジがディスク駆動装置内に装填された場における下ハーフの配置を示す平面図である。
【図７】図６に示すＢ−Ｂ位置におけるディスクカートリッジ全体の断面を示している。
【図８】図６に示すＣ方向からディスクカートリッジ全体を見た側面図を示している。
【符号の説明】
【００３０】  １  上ハーフ
２  下ハーフ
３  情報記録媒体
４  クランピングプレート
５  シールド
６  押さえ
７  弾性部材
８  ロック解除部材
１０  ケース本体
１１  シャッタ
２１  底面開口
２２  側面開口
２３  側面リブ
２４  シャッタ開放溝
２５  保持切欠き
２６  保持凹部
９０  シャッタオープナ
１００  ヘッド
１０１  レンズアクチュエータ
１０２  対物レンズ
１１０  捕捉体
１１１  待機位置の捕捉体
【発明を実施するための最良の形態】
【００３１】  以下、本発明のディスクカートリッジの実施形態を説明する。図１は、ディスクカートリッジ５１を分解して示す斜視図であり、図２および図３は、それぞれシャッタが閉じた状態およびシャッタが開いた状態におけるディスクカートリッジ５１の外観を示す斜視図である。【００３２】  ディスクカートリッジ５１は、ディスク状の情報記録媒体３と、ケース本体１０と、シャッタ１１と、弾性部材７とを備えている。【００３３】  情報記録媒体３は、光や磁気などによって情報を記録したり記録された情報を光や磁気などによって再生することが可能な記録層を備えている。記録層は、一度だけ書き込みが可能なタイプであってもよいし、複数回書き換えが可能なタイプであってもよい。また、記録層は、既にデータが記録されており、書き込みのできないタイプであってもよい。情報記録媒体３の大きさにも特に制限はない。しかし、本発明は、小さい直径の情報記録媒体を収納し、外形の小さいディスクカートリッジを実現するのに特に適している。好適な情報記録媒体３の直径は、８０ｍｍ以下程度である。【００３４】  ケース本体１０は上ハーフ１および下ハーフ２を含み、情報記録媒体３を回転自在に収納する。情報記録媒体３がターンテーブルに安定して載置されるように、情報記録媒体３のセンターホール近傍に配置され、磁気によって吸着されるクランピングプレート４をケース本体１０は、一緒に含んでいてもよい。図に示すように、ケース本体１０は、情報の記録および／または再生を行うディスク駆動装置へ挿入される挿入方向Ａに対して平行であり、かつ、互いに対向している第１の側面２ａおよび第２の側面２ｂと、第１および第２の側面に挟まれ、互いに対向している上面１ａおよび底面２ｃとを有する。また、ディスク駆動装置へ挿入する際、ディスク駆動装置と対向する位置にある第３の側面２ｄは、本実施形態では緩やかな凸状の曲面で構成し、第３の側面２ｄと対向する第４の側面２ｅは平面で構成している。このように第３の側面２ｄのみを異なる形状とし、かつ、凸状の曲面で構成することによって、ディスクカートリッジ５１の挿入方向を容易に判断することが可能となる。【００３５】  ケース本体１０には、収納された情報記録媒体３の一部を露出するヘッド開口部１２が設けられており、ヘッド開口部１２を介して情報の記録および／または再生を行うヘッドが情報記録媒体３へアクセスする。ヘッド開口部１２は、底面２ｃに設けられた底面開口２１を含む。好ましくは、第１の側面２ａに設けられた側面開口２２をさらに含み、底面開口２１および側面開口２２は連続している。つまり、ヘッド開口部１２は底面２ｃから第１の側面２ａにかけて設けられている。第１の側面２ａには、挿入方向Ａに対して平行に延びるように設けられたシャッタ開放溝２４が形成されている。シャッタ開放溝２４は、第３の側面２ｄに開口が形成されるよう、第３の側面２ｄに達している。シャッタ開放溝２４の底部であって、第３の側面２ｄに近接した位置には保持凹部２６が設けられている。【００３６】  ケース本体１０を上ハーフ１および下ハーフ２によって構成する場合、第１の側面２ａおよび第２の側面２ｂのどの部分を上ハーフ１および下ハーフ２によって構成するかを任意に決定することができる。本実施形態では、第１の側面２ａに設けられたシャッタ開放溝２４の底部は、下ハーフ２の側面リブ２３によって構成する。したがって、シャッタ開放溝２４の底部に設けられた保持凹部２６も側面リブ２３に連続して下ハーフ２に形成している。保持凹部２６をもうけることにより、リブ２３の上ハーフ１との接合面積が増える。このため、上ハーフ１と下ハーフ２との接合強度が増す。【００３７】  保持凹部２６を形成する４つの側面のうち、底面２ｃと垂直であり、第３の側面２ｄに近接した側面２６ｄは、以下において説明する捕捉体が確実に係合するよう、シャッタ開放溝２４の底部に対して垂直であることが好ましい。一方、底面２ｃと垂直であり、第４の側面２ｅに近接した側面２６ｅは、たとえば、シャッタ開放溝２４の底部と鈍角をなすよう傾斜していてもよい。このような傾斜した斜面２６ｅにすることによってカートリッジ本体１０の内部の空間を広げることができる。【００３８】  ケース本体１０の底面２ｃには一対の位置決め穴２９が設けられている。位置決め穴２９の１つは、ケース本体１０の第３の側面２ｄに隣接し、第３の側面２ｄにも開口が設けられている。位置決め穴２９はディスク駆動装置に設けられた位置決めピンと係合し、ディスク駆動装置内におけるディスクカートリッジ５１の位置決めをするために用いられる。ディスク駆動装置へ挿入する際、ディスク駆動装置と対向する位置にある第３の側面２ｄにも位置決め穴２９の開口が設けられているため、第３の側面２ｄに隣接した位置決め穴２９へは、側面２ｄの開口から位置決めピンを挿入することが可能となる。このため、一端に設けられた回転軸を中心に回動するホルダを有し、ホルダを上下させることにより、ホルダに挿入されたディスクカートリッジをディスク駆動装置へ装填する構造をディスク駆動装置が採用する場合でも、ディスクカートリッジ５１の装填および排出のためにホルダを回転させる角度が小さくてすみ、ディスク駆動装置を小型化することができる。【００３９】  なお、ケース本体１０の底面２ｃおよび第１の側面２ａの両方に凹部を有する保持切り欠き２５を設けてもよい。また、同様に底面２ｃおよび第２の側面２ｂの両方に凹部を有する保持切り欠き２５を設けてもよい。これらの保持切り欠き２５は、たとえば、複数のディスクカートリッジを収納する連装型のラックを備えたディスク駆動装置において、ディスクカートリッジをラックと記録再生が可能な位置との間で自動的に移動させるチェンジャと係合するために用いることができる。さらに、第２の側面２ｂ切り欠きあるいは凹部３０を設けてもよい。【００４０】  第１の側面２ａにおいて、ヘッド開口部１２の側面開口２２は底面２ｃ側に位置している。シャッタ開放溝２４および保持凹部２６は側面開口２２と干渉しないよう、シャッタ開放溝２４を構成する側壁を介して側面開口２２の上側、つまり上面１ａ側に形成されている。【００４１】  第１の側面２ａには、また、弾性部材摺動溝３１が設けられている。弾性部材摺動溝３１はシャッタ開放溝２４と平行に設けられており、かつ連通している。以下において詳細に説明するように、弾性部材７の端部が弾性部材摺動溝３��において摺動し、シャッタ１１の一部を付勢する。弾性部材摺動溝３１の両端には凹部２７、２８が設けられている。凹部２８は弾性部材７の一端を固定する。凹部２７は、弾性部材７の他端と係合する場合には、弾性部材７の伸縮を妨げ、以下で詳細に説明するようにシャッタ１１が移動しないようにシャッタ１１をロックする。弾性部材７の他端が凹部２７から脱離し、弾性部材摺動溝３１の底部にあるときは、弾性部材摺動溝３１内で弾性部材７の他端が移動する。【００４２】  シャッタ１１は、シールド５およびロック解除部材８を含む。シールド５はヘッド開口部１２の底面開口２１を覆うための底面部５ｂおよび側面開口２２を覆うための側面部５ａと、側面部５ａの端部に設けられ、シャッタ開放溝２４に挿入される係合部５ｅとを有する。係合部５ｅの両端にはロック解除部材８を保持するために、矩形底部を有するＵ字形の保持部５ｄが設けられている。また、シールド５は、矩形の切り欠きを有し、シャッタ開放溝２４に挿入される当接部５ｃを有する。【００４３】  ロック解除部材８は弾性部材７によるシャッタ１１のロックを解除する。このために、ロック解除部材８は、ディスク駆動装置のシャッタオープナ９０が当接する操作部８１と傾斜部を有する切り欠きが設けられた当接部８２ａとを両端に備える。ロック解除部材８はシールド５の係合部５ｅの両端の保持部５ｄに挿入され、ロック解除部材８および係合部５ｅがシャッタ開放溝２４に挿入される。係合部５ｅの長さＬ１はロック解除部材８の操作部８１と当接部８２ａとの間隔Ｌ２よりも短くなっている。シールド５の底面部５ｂの端部は押さえ６によって、ケース本体の底面２ｃから浮きが生じないように押さえつけられる。【００４４】  シャッタ開放溝２４内に挿入されたロック解除部材８および係合部５ｅと、押さえ６とによって案内され、シャッタ１１は、挿入方向Ａと平行に摺動する。これにより、シャッタ１１は、ヘッド開口部１２を閉塞した状態および開放した状態をとることができる。【００４５】  弾性部材７は、シャッタ１１の当接部８２ａと当接し、シャッタ１１がヘッド開口部１２を閉塞するように、挿入方向Ａに向かってシャッタ１１を付勢する。本実施形態では弾性部材７はねじりばねによって構成されているが、他の形状のばねや樹脂などによって成形した弾性部材を用いてもよい。弾性部材７は、端部７１および端部７２を有し、弾性変形するが、端部７１および端部７２とが所定の距離を維持するように復元する。端部７２は弾性部材摺動溝３１の凹部２８に挿入される。一方、端部７１は、シャッタ１１がヘッド開口部１２を閉塞した状態にあるときには凹部２７に係合しており、挿入方向Ａと平行ないずれの方向へも移動できない。シャッタ１１が開放動作を行っているときには、端部７１は弾性部材摺動溝３１の底部を摺動する。図２に示すように、シャッタ１１が閉塞した状態では、シャッタ開放溝２４内において、ロック解除部材８の操作部８１は、保持凹部２６よりも第４の側面２ｅに位置している。言い換えれば、保持凹部２６は、ロック解除部材８の操作部８１よりも第３の側面２ｄに近接している。【００４６】  次にシャッタ１１の動作を説明する。図２に示すように、ディスク���ートリッジ５１を挿入方向Ａで示すようにディスク駆動装置に挿入すると、シャッタオープナ９０が、第３の側面２ｄに設けられた開口からシャッタ開放溝２４内へ挿入される。シャッタオープナ９０はディスク駆動装置内で固定されているので、ディスクカートリッジ５１の挿入にともなって、シャッタオープナ９０が相対的にシャッタ開放溝２４内を挿入方向Ａと逆の方向Ｄに進む。そして、ロック解除部材８の操作部８１と当接し、ロック解除部材８を方向Ｄへ押す。上述したように、ロック解除部材８の操作部８１と当接部８２ａとの間隔Ｌ２は、シールド５の係合部５ｅの長さＬ１より長いので、シールド５を伴わずにロック解除部材８のみが、まず、方向Ｄへ移動する。これにより、当接部８２ａの切り欠きに弾性部材７の端部７１が挿入される。【００４７】  シャッタオープナ９０の相対的な移動により、ロック解除部材８がさらに方向Ｄへ移動すると、切り欠きの傾斜部に弾性部材７の端部７１が当接し、凹部２７から端部７１が持ち上げられ、弾性部材摺動溝３１の底部へ移動する。これにより、ロックが解除される。ロック解除部材８がさらに方向Ｄへ移動すると、当接部８１がシールド５の係合部５ｅの保持部５ｄと当接し、シャッタオープナ９０の相対的な移動により、ロック解除部材８およびシールド５が一体的に方向Ｄへ移動する。このとき、弾性部材８の端部７１は弾性部材摺動溝３１の底部上を移動する。つまり、シャッタ部１１がヘッド開口部１２を開放し始める。【００４８】  その後、ディスクカートリッジ５１の挿入動作にともなって、シャッタオープナ９０がさらにシャッタ開放溝２４内を相対的に移動し、シールド５が方向Ｄへ移動する。これにより、ヘッド開口部１２が完全に開放され、情報記録媒体３がヘッド開口部１２から露出する。【００４９】  ディスクカートリッジ５１がディスク駆動装置内に完全に挿入されると、情報記録媒体３がディスク駆動装置のターンテーブルに載置される。このとき、シャッタオープナ９０はシャッタ開放溝２４内の所定の位置にあり、弾性部材８によってシャッタ１１がヘッド開口部１２を閉塞する方向に移動するのを防止する。したがって、ディスク駆動装置内にディスクカートリッジ５１が装填されている間は、シャッタ１１がヘッド開口部１２を開放した状態を保っている。【００５０】  イジェクトボタンなどを押して、ディスクカートリッジ５１をディスク駆動装置から排出する場合、図示しない排出機構が、ディスクカートリッジ５１を挿入方向Ａと反対の方向に排出する。シャッタオープナ９０が、シャッタ開放溝２４内で相対的に挿入方向Ａへ移動するため、弾性部材７の端部７１が当接部８２ａを挿入方向Ａへ付勢し、シャッタ１１を挿入方向Ａへ付勢する。つまり、弾性部材７は、ヘッド開口部１２が閉塞するようにシャッタ１１を付勢する。ヘッド開口部１２が完全に閉塞する位置にシャッタ１１が移動すると、弾性部材７の端部７１が弾性部材摺動溝３１の凹部２７に挿入される。これにより、シャッタ１１がヘッド開口部１２を完全に閉塞する。また、シャッタ１１が移動して、ヘッド開口部１２を開放しないよう、ロックする。【００５１】  シャッタ１１のシールド５のみを手などによって方向Ｄへ移動させようとする場合、ロック解除部材８の操作部８１と当接部８２ａとの間隔Ｌ２は、シールド５の係合部５ｅの長さＬ１より長いため、シールド５のみが方向Ｄへ移動し、シールド５の係合部５ｅの一端に設けられた当接部５ｃが弾性部材７の端部７１と当接する。しかし、当接部５ｃの切り欠きは矩形であるため、凹部２７から端部７１を持ち上げることはできず、端部７１はシールド５の方向Ｄへ移動することができない。つまりシャッタ１１は弾性部材の端部７１によってロックされたままとなり、ロックは解除されない。また、ロック解除部材８の操作部８１はシャッタ開放溝２４内に位置しているため、ユーザが指などによって操作部８１を押圧してシャッタ１１を開放させることも困難である。【００５２】  本実施形態によれば、弾性部材７によって、シャッタ１１がヘッド開口部１２を閉塞するように付勢している。このため、ヘッド開口部１２を開放すべき時以外は、確実にヘッド開口部１２を閉塞し、防塵性を高めることができる。たとえば、ディスクカートリッジ５１を落下させた場合でも落下による衝撃でヘッド開口部１２が開放するのを防止することができる。また、ロック解除部材８を用い、ロック解除部材８の当接部８１を操作したときのみシャッタを開放させることができるようにすることによって、シャッタを誤って、あるいは、意図的に操作してヘッド開口部を開放させてしまうことを防止することができる。【００５３】  次にディスク駆動装置へのディスクカートリッジ５１の装填を詳細に説明する。図４はディスクカートリッジ５１に適合したディスク駆動装置の一例を示している。このディスク駆動装置は、シャーシ２０１、カートリッジホルダ２０２、およびスピンドルモータ２０５を備える。【００５４】  シャーシ２０１には、ターンテーブルを有するスピンドルモータ２０５が支持されている。図４では示していないが、ディスク駆動装置は記録、再生のためのヘッドを備え、ヘッドがシャーシ２０１に支持されている。シャーシ２０１には、ディスクカートリッジ５１内の情報記録媒体３がスピンドルモータ２０５のターンテーブル５に正しく載置されるよう、ディスクカートリッジ５１の位置を定める位置決めピン２０１ａが設けられている。シャーシ２０１はダンパ２０８によってディスク駆動装置の筐体などに固定されている。【００５５】  ホルダ２０２は、ディスクカートリッジ５１を挿入するための挿入口２０２ｂおよびディスクカートリッジを保持するための空間２０２ｃを有する。ホルダ２０２の側面には、スライダ２０３が設けられており、ばね２０４によって矢印Ａと逆の方向、つまり、挿入口２ｂからディスクカートリッジ５１を排出する方向に付勢されている。スライダ２０３には、ホルダ２に挿入されたディスクカートリッジ５１の第３の側面２ｄと当接する当接部を有する。また、ディスクカートリッジ５１の保持凹部２６と係合する捕捉体１１０が接続されている。【００５６】  挿入口２０２ｂから矢印Ａで示すようにディスクカートリッジ５１をホルダ２０２の空間２０２ｃ内へ挿入すると、ディスクカートリッジ５１がスライダ２０３と当接する。ばね２０４に抗してディスクカートリッジ５１を押し込むことによって、ディスクカートリ��ジ５１がさらに挿入され、ホルダ２０２に保持される。この際、以下で説明するように捕捉体１１０がディスクカートリッジ５１と係合する。ディスクカートリッジの挿入が完了すると、スライダ２０３はホルダ２０２に対して図示しないロック機構によりロックされる。挿入に伴って、ディスクカートリッジのシャッタが開放される。【００５７】  ホルダ２０２は、回動軸２０２ａ周りに回転可能なようにシャーシ２０１に取り付けられている。図４は、挿入口２０２ｂからホルダ２０２にディスクカートリッジ５１を出し入れすることのできる位置にホルダ２０２がある状態を示している。この位置を第１の位置と呼ぶ。【００５８】  ディスクカートリッジ５１をホルダ２０２に挿入した状態でホルダ２０２をシャーシ２０１に接近させてゆくと、ディスクカートリッジ内の情報記録媒体３がスピンドルモータ５のターンテーブルに載置される位置にホルダ２０２が移動する。この位置を第２の位置と呼ぶ。第２の位置において、情報記録媒体３はスピンドルモータ５の駆動力を受けて回転し、ヘッドを用いて、記録ディスクへのデータの書き込みおよび／または記録ディスクからのデータの読み出しをおこなうことができる。【００５９】  ホルダ２０２を回転させて第２の位置から再び第１の位置へ戻すと、スライダ２０３のロックが外れて、ばね２０４の弾性によりスライダ２０３が所定の位置まで戻る。これにより、挿入口２ｂから所定の距離だけディスクカートリッジが排出され、ディスクカートリッジの取り出しが可能となる。【００６０】  図５Ａから図５Ｄを参照して、ホルダ２０２へのディスクカートリッジ５１の挿入および排出動作をさらに詳細に説明する。図５Ａから図５Ｄでは、捕捉体１１０、スライダ２０３、ばね２０４およびシャッタオープナ９０は模式的に示されている。上述したように、捕捉体１１０およびスライダ２０３はホルダ２０２に対して移動可能に支持されており、ばね２０４によって、矢印Ａと反対の方向に付勢されている。一方、シャッタオープナ９０はホルダ２０２に対して固定されている。【００６１】  図５Ａに示すように、ディスクカートリッジ５１を矢印Ａのようにホルダ２０２内へ挿入してゆくと、シャッタオープナ９０が、シャッタ１１のロック解除部材８の操作部８１と当接しする。さらにディスクカートリッジ５１の挿入すると、上述したようにシャッタオープナ９０と当接したロック解除部材８がばね７によるロックを解除する。【００６２】  図５Ｂに示すように、ディスクカートリッジ５１をさらに矢印Ａで示すようにホルダ２０２内へ挿入してゆくと、シャッタオープナ９０と当接したロック解除部材８およびシールド５がその位置にとどまるのに対して、ディスクカートリッジ５１の本体１０がホルダ２０２内へ挿入されるため、相対的にシャッタ１１が矢印Ａと反対の方向へ移動する。そして、カートリッジ本体１０の保持凹部２６が捕捉体１１０と係合する。このとき、スライダ２０３もカートリッジ本体１０の第３の側面２ｄと当接する。このため、ディスクカートリッジ５１をさらに矢印Ａで示すようにホルダ２０２内へ挿入するにはスライダ２０３と接続されたばね２０４の付勢力に抗してディスクカートリッジ５１を押す必要がある��【００６３】  図５Ｃに示すように、ディスクカートリッジ５１がホルダ２０２内へ完全に挿入されると、スライダ２０３はホルダ２０２に対してロックされる。挿入に伴って、ディスクカートリッジ５１のシャッタ１１が開放される。この状態でホルダ２０２をシャーシ２０１側へ回転させ、第２の位置へ移動させることによってディスクカートリッジ５１内の情報記録媒体３がターンテーブルに載置される。【００６４】  ホルダ２０２を回転させて、第２の位置から再び第１の位置へ戻すと、スライダ２０３のロックが解除される。このため、図５Ｄに示すように、スライダ２０３がばね２０４の付勢力によって矢印Ｄの方向へ移動する。これにともない、ディスクカートリッジ５０１がホルダ２０２から押し出される。このとき、ディスクカートリッジ５１の弾性部材７はシャッタ１１のロック解除部材８を押す。このため、シャッタ１１は、ディスクカートリッジ５１のカートリッジ本体１０と一緒には矢印Ｄの方向へ移動せず、ロック解除部材８がシャッタオープナ９０と当接した状態を保つ。つまり、シャッタ１１が閉じるように相対的にカートリッジ本体１０に対して移動する。スライダ２０３に接続されたばね２０４がもとの状態に戻ると、スライダ２０３の移動は停止する。このとき、ディスクカートリッジ５１の先端は、ホルダ２０２の先端から距離Ｓだけとび出している。これにより排出動作が完了する。このように、ディスクカートリッジ５１の装填および排出動作中、スライダ２０３の移動にともなって捕捉体１１０も移動する。【００６５】  次に、ディスク駆動装置内におけるディスクカートリッジ５１の配置を詳細に説明する。図６はディスク駆動装置内におけるディスクカートリッジ５１の下ハーフの配置を示す平面図であり、図７はそのＢ−Ｂの位置におけるディスクカートリッジ５１全体の断面図である。図６および図７において、ディスクカートリッジ５１はディスク駆動装置に装填されシールド５は完全に開いた位置にある。ヘッド１００は情報記録媒体３の最外周位置にあり、対物レンズ１０２を駆動してフォーカスおよびトラッキング動作をするレンズアクチュエータ１０１がヘッド開口部１２に挿入されている。ヘッド開口部１２が側面開口２２を含んでいるため、レンズアクチュエータ１０１の外形が大きくても、側面開口２２内にレンズアクチュエータ１０１が嵌入し、ケース本体１０とレンズアクチュエータ１０１が接触あるいは干渉することがない。このため、レンズアクチュエータの大きさに制限はなく、大きなレンズアクチュエータを搭載したディスク駆動装置であっても本発明のディスクカートリッジ５１を装填することができる。【００６６】  また、ディスクカートリッジ５１の側面と、情報記録媒体との間にレンズアクチュエータが接近することのできるような空間を設ける必要がなくなるため、ディスクカートリッジ５１のケース本体１０の幅（挿入方向Ａと直行する方向）を小さくすることができる。【００６７】  このように、ディスクカートリッジ５１がディスク駆動装置内に装填された状態において、ヘッド１００とディスクカートリッジ５１との干渉や接触を確実に回避するためには、図７に示すように、情報記録媒体３が、情報の記録および／���たは再生を行うことが可能なように保持された状態において、底面２ａから情報記録媒体の情報記録面３ａと同じ高さの位置Ｈ１にまでヘッド開口部１２の側面開口２２が形成されていることが好ましい。【００６８】  上述したようにディスクカートリッジ５１を駆動装置に装填する場合、ホルダ２０２が上昇した第１の位置においてホルダ２０２内にディスクカートリッジ５１を挿入し、捕捉体１１０をシャッタ開放溝２４内の保持凹部２６に係合させて保持する。その後、ホルダ２０２を回転させることにより、ディスクカートリッジ５１全体を捕捉体１１０とともに降下させ、位置決めピンを用いて所定の位置にディスクカートリッジ５１を装填する。【００６９】  この時、上述したようにシャッタ１１が開放されるので、情報記録媒体がターンテーブルに載置され、記録または再生ヘッドのレンズアクチュエータがヘッド開口部に挿入される。ディスクカートリッジ５１の降下中は捕捉体１１０によって位置決めされており、降下中にターンテーブルや記録再生ヘッドがディスクカートリッジ５１と接触しないよう正確に保持する必要がある。一般に下ハーフ２と上ハーフ１との接合には多少ずれが生じるため、保持凹部２６を本実施例のように下ハーフ２と一体に形成する方がより正確な保持が可能となる。【００７０】  一方、この状態からディスクカートリッジ５１を排出する場合、ホルダ２０２を回転させてディスクカートリッジ５１を持ち上げる。これによりスライダ２０３のロックが解除され、スライダ２０３がディスクカートリッジ５１の一部を排出させる。この時、弾性部材７の反力でディスクカートリッジ５１がディスク駆動装置から飛び出さないよう捕捉体１１０は保持凹部２６に係合したままイジェクト位置までディスクカートリッジ５１を移動させる。【００７１】  図８は図６に示す方向Ｃからディスクカートリッジ５１全体を見た側面図である。図８において、保持凹部２６に係合してディスクカートリッジ５１を保持している捕捉体１１０は、イジェクト時には、いったんディスクカートリッジ５１を持ち上げ、距離Ｓだけ挿入口側へ移動した待機位置１１１に移動する。ディスクカートリッジ５１を取り出した後、捕捉体１１０はその位置で待機する。次にディスクカートリッジ５１が挿入されると、捕捉体１１０がディスクカートリッジを保持し、実線で示す元の位置に戻る。【００７２】  ディスクカートリッジ５１をホルダ２０２に挿入しない空の状態では捕捉体１１０が待機位置１１１にあるまま降下することになる。しかし、保持凹部２６は側面開口２２より高い位置にあるため、待機位置１１１がヘッド開口部１２の側面開口２２の上方に位置していても、捕捉体１１０がヘッド１００のレンズアクチュエータ１０１に干渉することはない。【００７３】  このような捕捉体１１０の動作を、保持凹部２６に換えて保持切欠き２５を用い、保持切欠き２５と係合する捕捉体１２０で行うと、保持切欠き２５が側面開口２２と同じ高さにあるので、捕捉体１２０の待機位置１２１は側面開口２２に入り込んでしまう。このため、記録再生ヘッド１００が最外周近辺にある場合、ディスクカートリッジ５１を挿入しない空の状態でレンズアクチュエータ１０１と干渉する恐れがあ���。本発明によればこのような可能性を排除することができる。【００７４】  なお、捕捉体１１０とヘッド１００との干渉を防止するためには、図７に示すように、情報記録媒体３がディスク駆動装置内において、情報の記録および／または再生を行うことが可能なように保持された状態において、情報記録媒体３の情報記録面３ａの位置Ｈ１より上面１ａ側に保持凹部２６が位置するよう、シャッタ開放溝２４も情報記録媒体３の情報記録面３ａの位置Ｈ１より上面１ａ側に設けることが好ましい。特に、保持凹部２６が、ケース本体の上面１ａと底面２ａとの中間の位置Ｈ２よりも上方、つまり、上面１ａと底面２ａとの間の上半分に位置するよう設定することによって、このように、ホルダ２０２を空のまま降下させても、保持後部２６と係合する捕捉体１１０がヘッド１００と干渉することを確実に防止することができる。【００７５】  このように、本実施形態によれば、弾性部材による反力よってディスクカートリッジが飛び出すのを防止する捕捉体は、シャッタ開放溝内に設けられた保持凹部と係合する。このため、捕捉体が、保持凹部から多少浮き上がっても、捕捉体はなおシャッタ開放溝内にあり、シャッタ開放溝が捕捉体の位置を規制する。このため、捕捉体が保持凹部から脱落しにくく、確実にディスクカートリッジの移動を防止することができる。また、保持凹部を設ける領域をシャッタ開放溝以外に確保しなくてもよく、小型のディスクカートリッジの側面に効率的に保持凹部を設けることができる。さらに、ヘッド開口部はシャッタ開放溝よりも底面側にもうけられており、シャッタ開放溝とヘッド開口部と連通していないため、ディスクカートリッジの挿入あるいは排出時に捕捉体がヘッド開口部内に入りこむことがない。【００７６】  なお、本実施形態では、ヘッド開口部１２はケース本体の裏面にのみ設けられていたが、ケース本体の上面にもヘッド開口部を備えていてもよい。【００７７】  また、本実施形態では、弾性部材がシャッタのロックする構造を採用していたが、弾性部材以外の別なロック機構をディスクカートリッジに設けてもよいし、ロック機構を備えていなくてもよい。
【産業上の利用可能性】
【００７８】  本発明によれば、小型で防塵性の高いディスクカートリッジが提供される。このディスクカートリッジは、光あるいは光磁気、磁気などを用いて記録を行う種々のディスク状情報記録媒体に適用することが可能である。特に、小型で高記録密度の情報記録媒体に好適に用いることができる。
【図１】
2005055235.tif 000002
【図２】
2005055235.tif 000003
【図３】
2005055235.tif 000004
【図４】
2005055235.tif 000005
【図５Ａ】
2005055235.tif 000006
【図５Ｂ】
2005055235.tif 000007
【図５Ｃ】
2005055235.tif 000008
【図５Ｄ】
2005055235.tif 000009
【図６】
2005055235.tif 000010
【図７】
2005055235.tif 000011
【図８】
2005055235.tif 000012
【手続補正書】
【提出日】平成17年3月16日(2005.3.16)
【手続補正１】
【補正対象書類名】特許請求の範囲
【補正対象項目名】全文
【補正方法】変更
【補正の内容】
【書類名】請求の範囲
【請求項１】ディスク状の情報記録媒体を回転自在に収納するケース本体であって、情報の記録および／または再生を行うディスク駆動装置へ挿入する方向に対して平行であり、かつ、互いに対向している第１および第２の側面、前記第１および第２の側面に挟まれた底面、前記底面の一部に設けられ、前記情報記録媒体の一部を露出させるヘッド開口部、前記挿入方向に沿って伸びるように前記第１の側面に設けられ、前記ディスク駆動装置のシャッタオープナが移動するためのシャッタ開放溝、および、前記シャッタ開放溝の底部に設けられており、前記ディスク駆動装置に装填されている間、前記ディスク駆動装置に設けられた捕捉体と係合する保持凹部を有するケース本体と、
前記シャッタ開放溝内に突出した操作部を有し、前記挿入方向と平行に摺動することによって前記ヘッド開口部を開放または閉塞するシャッタと、
前記ヘッド開口部を閉塞するように前記シャッタを付勢する弾性部材と、を備えたディスクカートリッジ。
【請求項２】前記ヘッド開口部は、前記第１の側面に達するように前記第１の側面および前記底面に設けられている請求項１に記載のディスクカートリッジ。
【請求項３】前記シャッタ開放溝および前記保持凹部と干渉しないように前記ヘッド開口部は前記第１の側面に設けられている請求項２に記載のディスクカートリッジ。
【請求項４】前記ヘッド開口部は、前記第１の側面に設けられた側面開口を有し、前記側面開口は前記シャッタ開放溝よりも前記底面側に位置している請求項３に記載のディスクカートリッジ。
【請求項５】前記ケース本体は、上ハーフおよび下ハーフを含み、前記保持凹部は、前記下ハーフに形成されたリブによって前記下ハーフと一体に形成されている請求項１から４のいずれかに記載のディスクカートリッジ。
【請求項６】前記ケース本体は、前記第１の側面および前記底面、ならびに、前記第２の側面および前記底面にそれぞれ設けられた保持切り欠きを有する請求項１から５のいずれかに記載のディスクカートリッジ。
【請求項７】前記ケース本体は、前記シャッタ開放溝と平行に延びており、前記弾性部材が摺動するための弾性部材摺動溝と、弾性部材摺動溝の一端に設けられた凹部とを前記第１の側面に有し、前記弾性部材は、前記シャッタ部が前記ヘッド開口部を閉塞した状態において、前記凹部と係合して、前記シャッタ部が移動しないように前記シャッタ部をロックする請求項１から６のいずれかに記載のディスクカートリッジ。
【請求項８】前記シャッタは、前記ヘッド開口部を覆うシールドと前記操作部を有するロック解除部材とを含み、前記シャッタオープナが前記操作部と当接することによって、前記ロック解除部材が前記弾性部材と前記凹部との係合を解除し、前記シャッタオープナが前記弾性部材の付勢力に抗して前記シャッタ部を移動させる請求項７に記載のディスクカートリッジ。
【請求項９】前記ケース本体は、前記ディスク駆動装置へ挿入する際、前記ディスク駆動装置と対向する位置にある第３の側面および前記第３の側面と対向する第４の側面を有し、
前記第３の側面に開口が形成されるように前記シャッタ開放溝は前記第３の側面に達している請求項１から７のいずれかに記載のディスクカートリッジ。
【請求項１０】情報記録面を有する前記ディスク状の情報記録媒体をさらに備え、シャッタの開放時において前記情報記録面の一部が前記ヘッド開口部から露出するように前記情報記録媒体が前記ケース本体に収納されている請求項１から９のいずれかに記載のディスクカートリッジ。
【請求項１１】前記ケース本体は前記第１および第２の側面に挟まれており、前記底面と対向する上面を有し、
前記情報記録媒体がディスク駆動装置内において、情報の記録および／または再生を行うことが可能なように保持された状態において、前記情報記録媒体の情報記録面より上面側に前記保持凹部が位置するよう、前記保持凹部がシャッタ開放溝の底部に設けられている請求項１０に記載のディスクカートリッジ。
【請求項１２】前記保持凹部は、前記ケース本体の上面と底面との間の上半分に位置するよう前記保持凹部がシャッタ開放溝の底部に設けられている請求項１０に記載のディスクカートリッジ。
【請求項１３】シャーシと、
前記シャーシに支持されており、ターンテーブルを有するモータと、
前記シャーシに支持されており、情報の記録および／または再生を行うヘッドと、
請求項１から１２のいずれかに規定されるディスクカートリッジを挿入する挿入口、および、前記ディスクカートリッジを保持する空間を有するホルダであって、前記ターンテーブルと干渉することなく、前記ディスクカートリッジを前記挿入口から出し入れすることが可能な第１の位置、および、前記空間に保持されたディスクカートリッジの情報記録媒体を前記ターンテーブルに載置する第２の位置をとり得るように前記シャーシに対して回動可能に取り付けられたホルダと、
前記ホルダにスライド可能なように設けられており、前記ホルダに挿入されたディスクカートリッジを前記挿入口から排出するように前記ディスクを付勢するスライダと、
前記スライダに接続されており、前記ディスクカートリッジの保持凹部と係合する捕捉体と、
を備え、
前記ディスクカートリッジが保持されていない状態で前記ホルダが第２の位置にあるように前記ホルダを回転させたとき、前記捕捉体が前記ヘッドと干渉しないように前記捕捉体が前記ホルダに設けられているディスク駆動装置。
【手続補正書】
【提出日】平成17年3月16日(2005.3.16)
【手続補正００１】
【補正対象書類名】特許請求の範囲
【補正対象項目名】請求の範囲
【補正方法】変更
【補正の内容】
【書類名】請求の範囲
【請求項１】（補正後）  ディスク状の情報記録媒体を回転自在に収納するケース本体であって、情報の記録および／または再生を行うディスク駆動装置へ挿入する方向に対して平行であり、かつ、互いに対向している第１および第２の側面、前記第１および第２の側面に挟まれた底面、前記底面の一部に設けられ、前記情報記録媒体の一部を露出させるヘッド開口部、前記挿入方向に沿って伸びるように前記第１の側面に設けられ、前記ディスク駆動装置のシャッタオープナが移動するためのシャッタ開放溝、および、前記シャッタ開放溝の底部に設けられており、前記ディスク駆動装置に装填されている間、前記ディスク駆動装置に設けられた捕捉体と係合する保持凹部を有するケース本体と、
前記シャッタ開放溝内に突出した操作部を有し、前記挿入方向と平行に摺動することによって前記ヘッド開口部を開放または閉塞するシャッタと、
前記ヘッド開口部を閉塞するように前記シャッタを付勢する弾性部材と、を備えたディスクカートリッジ。
【請求項２】前記ヘッド開口部は、前記第１の側面に達するように前記第１の側面および前記底面に設けられている請求項１に記載のディスクカートリッジ。
【請求項３】前記シャッタ開放溝および前記保持凹部と干渉しないように前記ヘッド開口部は前記第１の側面に設けられている請求項２に記載のディスクカートリッジ。
【請求項４】前記ヘッド開口部は、前記第１の側面に設けられた側面開口を有し、前記側面開口は前記シャッタ開放溝よりも前記底面側に位置している請求項３に記載のディスクカートリッジ。
【請求項５】前記ケース本体は、上ハーフおよび下ハーフを含み、前記保持凹部は、前記下ハーフに形成されたリブによって前記下ハーフと一体に形成されている請求項１から４のいずれかに記載のディスクカートリッジ。
【請求項６】前記ケース本体は、前記第１の側面および前記底面、ならびに、前記第２の側面および前記底面にそれぞれ設けられた保持切り欠きを有する請求項１から５のいずれかに記載のディスクカートリッジ。
【請求項７】前記ケース本体は、前記シャッタ開放溝と平行に延びており、前記弾性部材が摺動するための弾性部材摺動溝と、弾性部材摺動溝の一端に設けられた凹部とを前記第１の側面に有し、前記弾性部材は、前記シャッタ部が前記ヘッド開口部を閉塞した状態において、前記凹部と係合して、前記シャッタ部が移動しないように前記シャッタ部をロックする請求項１から６のいずれかに記載のディスクカートリッジ。
【請求項８】前記シャッタは、前記ヘッド開口部を覆うシールドと前記操作部を有するロック解除部材とを含み、前記シャッタオープナが前記操作部と当接することによって、前記ロック解除部材が前記弾性部材と前記凹部との係合を解除し、前記シャッタオープナが前記弾性部材の付勢力に抗して前記シャッタ部を移動させる請求項７に記載のディスクカートリッジ。
【請求項９】前記ケース本体は、前記ディスク駆動装置へ挿入する際、前記ディスク駆動装置と対向する位置にある第３の側面および前記第３の側面と対向する第４の側面を有し、
前記第３の側面に開口が形成されるように前記シャッタ開放溝は前記第３の側面に達している請求項１から７のいずれかに記載のディスクカートリッジ。
【請求項１０】情報記録面を有する前記ディスク状の情報記録媒体をさらに備え、シャッタの開放時において前記情報記録面の一部が前記ヘッド開口部から露出するように前記情報記録媒体が前記ケース本体に収納されている請求項１から９のいずれかに記載のディスクカートリッジ。
【請求項１１】前記ケース本体は前記第１および第２の側面に挟まれており、前記底面と対向する面を有し、
前記情報記録媒体がディスク駆動装置内において、情報の記録および／または再生を行うことが可能なように保持された状態において、前記情報記録媒体の情報記録面より上面側に前記保持凹部が位置するよう、前記保持凹部がシャッタ開放溝の底部に設けられている請求項１０に記載のディスクカートリッジ。
【請求項１２】前記保持凹部は、前記ケース本体の上面と底面との間の上半分に位置するよう前記保持凹部がシャッタ開放溝の底部に設けられている請求項１０に記載のディスクカートリッジ。
【請求項１３】シャーシと、
前記シャーシに支持されており、ターンテーブルを有するモータと、
前記シャーシに支持されており、情報の記録および／または再生を行うヘッドと、
請求項１から１２のいずれかに規定されるディスクカートリッジを挿入する挿入口、および、前記ディスクカートリッジを保持する空間を有するホルダであって、前記ターンテーブルと干渉することなく、前記ディスクカートリッジを前記挿入口から出し入れすることが可能な第１の位置、および、前記空間に保持されたディスクカートリッジの情報記録媒体を前記ターンテーブルに載置する第２の位置をとり得るように前記シャーシに対して回動可能に取り付けられたホルダと、
前記ホルダにスライド可能なように設けられており、前記ホルダに挿入されたディスクカートリッジを前記挿入口から排出するように前記ディスクを付勢するスライダと、
前記スライダに接続されており、前記ディスクカートリッジの保持凹部と係合する捕捉体と、
を備え、
前記ディスクカートリッジが保持されていない状態で前記ホルダが第２の位置にあるように前記ホルダを回転させたとき、前記捕捉体が前記ヘッドと干渉しないように前記捕捉体が前記ホルダに設けられているディスク駆動装置。
２４
【手続補正書】
【提出日】平成18年5月11日(2006.5.11)
【手続補正１】
【補正対象書類名】特許請求の範囲
【補正対象項目名】全文
【補正方法】変更
【補正の内容】
【特許請求の範囲】
【請求項１】
ディスク状の情報記録媒体を回転自在に収納するケース本体であって、情報の記録および／または再生を行うディスク駆動装置へ挿入する方向に対して平行であり、かつ、互いに対向している第１および第２の側面、前記第１および第２の側面に挟まれた底面、前記底面の一部に設けられ、前記情報記録媒体の一部を露出させるヘッド開口部、前記挿入方向に沿って伸びるように前記第１の側面に設けられ、前記ディスク駆動装置のシャッタオープナが移動するためのシャッタ開放溝、および、前記シャッタ開放溝の底部に設けられており、前記ディスク駆動装置に装填されている間、前記ディスク駆動装置に設けられた捕捉体と係合する保持凹部を有するケース本体と、
前記シャッタ開放溝内に突出した操作部を有し、前記挿入方向と平行に摺動することによって前記ヘッド開口部を開放または閉塞するシャッタと、
前記ヘッド開口部を閉塞するように前記シャッタを付勢する弾性部材と、を備えたディスクカートリッジ。
【請求項２】
前記ヘッド開口部は、前記第１の側面に達するように前記第１の側面および前記底面に設けられている請求項１に記載のディスクカートリッジ。
【請求項３】
前記シャッタ開放溝および前記保持凹部と干渉しないように前記ヘッド開口部は前記第１の側面に設けられている請求項２に記載のディスクカートリッジ。
【請求項４】
前記ヘッド開口部は、前記第１の側面に設けられた側面開口を有し、前記側面開口は前記シャッタ開放溝よりも前記底面側に位置している請求項３に記載のディスクカートリッジ。
【請求項５】
前記ケース本体は、上ハーフおよび下ハーフを含み、前記保持凹部は、前記下ハーフに形成されたリブによって前記下ハーフと一体に形成されている請求項１から４のいずれかに記載のディスクカートリッジ。
【請求項６】
前記ケース本体は、前記第１の側面および前記底面、ならびに、前記第２の側面および前記底面にそれぞれ設けられた保持切り欠きを有する請求項１から５のいずれかに記載のディスクカートリッジ。
【請求項７】
前記ケース本体は、前記シャッタ開放溝と平行に延びており、前記弾性部材が摺動するための弾性部材摺動溝と、弾性部材摺動溝の一端に設けられた凹部とを前記第１の側面に有し、前記弾性部材は、前記シャッタが前記ヘッド開口部を閉塞した状態において、前記凹部と係合して、前記シャッタが移動しないように前記シャッタをロックする請求項１から６のいずれかに記載のディスクカートリッジ。
【請求項８】
前記シャッタは、前記ヘッド開口部を覆うシールドと前記操作部を有するロック解除部材とを含み、前記シャッタオープナが前記操作部と当接することによって、前記ロック解除部材が前記弾性部材と前記凹部との係合を解除し、前記シャッタオープナが前記弾性部材の付勢力に抗して前記シャッタを移動させる請求項７に記載のディスクカートリッジ。
【請求項９】
前記ケース本体は、前記ディスク駆動装置へ挿入する際、前記ディスク駆動装置と対向する位置にある第３の側面および前記第３の側面と対向する第４の側面を有し、
前記第３の側面に開口が形成されるように前記シャッタ開放溝は前記第３の側面に達している請求項１から７のいずれかに記載のディスクカートリッジ。  
【請求項１０】
情報記録面を有する前記ディスク状の情報記録媒体をさらに備え、シャッタの開放時において前記情報記録面の一部が前記ヘッド開口部から露出するように前記情報記録媒体が前記ケース本体に収納されている請求項１から９のいずれかに記載のディスクカートリッジ。
【請求項１１】
前記ケース本体は前記第１および第２の側面に挟まれており、前記底面と対向する上面を有し、
前記情報記録媒体がディスク駆動装置内において、情報の記録および／または再生を行うことが可能なように保持された状態において、前記情報記録媒体の情報記録面より上面側に前記保持凹部が位置するよう、前記保持凹部がシャッタ開放溝の底部に設けられている請求項１０に記載のディスクカートリッジ。
【請求項１２】
前記保持凹部は、前記ケース本体の上面と底面との間の上半分に位置するよう前記保持凹部がシャッタ開放溝の底部に設けられている請求項１０に記載のディスクカートリッジ。
【請求項１３】
シャーシと、
前記シャーシに支持されており、ターンテーブルを有するモータと、
前記シャーシに支持されており、情報の記録および／または再生を行うヘッドと、
請求項１から１２のいずれかに規定されるディスクカートリッジを挿入する挿入口、および、前記ディスクカートリッジを保持する空間を有するホルダであって、前記ターンテーブルと干渉することなく、前記ディスクカートリッジを前記挿入口から出し入れすることが可能な第１の位置、および、前記空間に保持されたディスクカートリッジの情報記録媒体を前記ターンテーブルに載置する第２の位置をとり得るように前記シャーシに対して回動可能に取り付けられたホルダと、
前記ホルダにスライド可能なように設けられており、前記ホルダに挿入されたディスクカートリッジを前記挿入口から排出するように前記ディスクを付勢するスライダと、
前記スライダに接続されており、前記ディスクカートリッジの保持凹部と係合する捕捉体と、
を備え、
前記ディスクカートリッジが保持されていない状態で前記ホルダが第２の位置にあるように前記ホルダを回転させたとき、前記捕捉体が前記ヘッドと干渉しないように前記捕捉体が前記ホルダに設けられているディスク駆動装置。
【手続補正２】
【補正対象書類名】明細書
【補正対象項目名】全文
【補正方法】変更
【補正の内容】
【発明の詳細な説明】
【技術分野】
【０００１】
本発明は磁気ディスク、光ディスク等のディスク状情報媒体を収納するディスクカートリッジに関する。
【背景技術】
【０００２】
音声や映像、コンピュータ用データなどを記録するために、ディスク状情報記録媒体（以下ディスクと称する場合がある）が近年広く用いられている。また、このようなディスクに情報を記録したり、ディスクに記録されている情報を再生したりするために、光や磁気などを用いて記録・再生を行うディスク駆動装置が開発されている。
【０００３】
ディスクの記録密度を高める技術も開発されており、これにともなって、ディスクムービーカメラのようなモバイル機器に搭載可能なより大容量でかつ小型のディスク装置が望まれている。このためにはディスクカートリッジを小型化することも必要である。
【０００４】
一般に、記録可能なディスクは、ディスクカートリッジに収納され、ディスクに埃や指紋の付着するのを防いでいる。特に、記録密度の高いディスクほど埃や指紋に敏感になるため、防塵性の良いディスクカートリッジが必要である。
【０００５】
この分野の従来例としては、例えば特許文献１が知られている。特許文献１に開示されている技術は、ＭＤ（ミニディスク）に採用されている。具体的には、ディスクカートリッジは、ディスクの一部を露出して記録再生ヘッドを挿入するヘッド開口部と、ヘッド開口部を閉塞するシャッタとを備える。シャッタは、ディスクカートリッジをディスク駆動装置に挿入する方向と同じ方向にスライドするように構成されており、シャッタを閉じた状態でロックするロック部材が設けられている。
【０００６】
このシャッタは、およそ矩形の底部を有するＵ字状の断面を有し、ディスクカートリッジ本体を挟み込んでいる。ディスクカートリッジ本体には挿入方向に延びる係合溝が設けられており、シャッタに設けられた抜け止め突起が係合溝と係合することによって、シャッタが本体から脱落することなく、挿入方向にスライドする。
【０００７】
ロック部材はヘッド開口部よりも挿入方向の先端側に設けられている。また、ディスク駆動装置には、ロック部材のロックを解除するためにカートリッジホルダの内側面に固定されたオープナ爪が設けられている。ディスクカートリッジをディスク駆動装置に装填する場合、ホルダにディスクカートリッジを挿入する。このとき、ディスクカートリッジの側面に設けられた溝内をオープナ爪が移動し、ロック部材を押しつけてロックの解除を行う。その後、オープナ爪がシャッタと係合し、シャッタを開放させながらディスクカートリッジが挿入される。挿入の完了によって、ヘッド開口部も開放される。
【０００８】
ディスクカートリッジをディスク駆動装置から抜き取る際には、オープナ爪はシャッタを閉じることはできない。このため、カートリッジホルダの内側面に板バネを設けて、シャッタ側面の穴に板バネを係合させる。板バネがシャッタを保持した状態でディスクカートリッジをカートリッジホルダから排出させることにより、シャッタがヘッド開口部を閉じる。
【０００９】
このように、特許文献１に開示されたディスクカートリッジのシャッタ駆動機構は簡単な構造を備えるため、特に小型のディスクを実現するのに適している。
【００１０】
また、特許文献２は、シャッタを閉じる方向に付勢する構造を備え、落下衝撃等でシャッタが開いてしまうのを防ぐことのできるディスクカートリッジを開示している。このディスクカートリッジはシャッタを閉じる方向に付勢するばねと、ディスク駆動装置に設けられた捕捉体に係合するための保持凹部とを備える。ディスクカートリッジの装填や排出時には、ディスク駆動装置の捕捉体がディスクカートリッジの保持凹部と係合してディスクカートリッジを保持することにより、ばねの反力によってディスクカートリッジがディスク駆動装置から飛び出すのを防いでいる。
【特許文献１】特許第３０３０８９４号明細書
【特許文献２】特開２０００−１７３２２３号公報
【発明の開示】
【発明が解決しようとする課題】
【００１１】
しかしながら、従来のディスクカートリッジには以下のような問題があった。
【００１２】
特許文献１のディスクカートリッジでは、ヘッド開口部の外側にシャッタをガイドする係合溝を設ける必要があり、係合溝を越えて側面側にヘッド開口部を広げることができない。このため、記録・再生ヘッドがディスクの最外周をアクセスしているときでもディスクカートリッジの係合溝を構成する構造と干渉しないように記録・再生ヘッドの大きさを制限する必要が生じる。記録・再生ヘッドの大きさを制約しないようにするためには、ディスクの最外周から係合溝までの距離を大きくする必要があり、このことはディスクカートリッジの外形が大きくなってしまうという別の問題を生じさせる。
【００１３】
また、特許文献２のディスクカートリッジでは、保持凹部はカートリッジ底面に設けられている。このため、シャッタがばねの力によって閉塞する際、捕捉体が保持凹部から外れやすく、確実にディスクカートリッジを保持することが困難な場合があった。
【００１４】
本発明は、上記従来技術の少なくとも１つを解決し、小型で防塵性の良いディスクカートリッジを提供することを目的とする。
【課題を解決するための手段】
【００１５】
本発明のディスクカートリッジは、ディスク状の情報記録媒体を回転自在に収納するケース本体であって、情報の記録および／または再生を行うディスク駆動装置へ挿入する方向に対して平行であり、かつ、互いに対向している第１および第２の側面、前記第１および第２の側面に挟まれた底面、前記底面の一部に設けられ、前記情報記録媒体の一部を露出させるヘッド開口部、前記挿入方向に沿って伸びるように前記第１の側面に設けられ、前記ディスク駆動装置のシャッタオープナが移動するためのシャッタ開放溝、および、前記シャッタ開放溝の底部に設けられた保持凹部を有するケース本体と、前記シャッタ開放溝内に突出した操作部を有し、前記挿入方向と平行に摺動することによって前記ヘッド開口部を開放または閉塞するシャッタと、前記ヘッド開口部を閉塞するように前記シャッタを付勢する弾性部材とを備える。
【００１６】
ある好ましい実施形態において、前記ヘッド開口部は、前記第１の側面に達するように前記第１の側面および前記底面に設けられている。
【００１７】
ある好ましい実施形態において、前記シャッタ開放溝および前記保持凹部と干渉しないように前記ヘッド開口部は前記第１の側面に設けられている。
【００１８】
ある好ましい実施形態において、前記ヘッド開口部は、前記第１の側面に設けられた側面開口を有し、前記側面開口は前記シャッタ開放溝よりも前記底面側に位置している。
【００１９】
ある好ましい実施形態において、前記ケース本体は、上ハーフおよび下ハーフを含み、前記保持凹部は、前記下ハーフに形成されたリブによって前記下ハーフと一体に形成されている。
【００２０】
ある好ましい実施形態において、前記ケース本体は、前記第１の側面および前記底面、ならびに、前記第２の側面および前記底面にそれぞれ設けられた保持切り欠きを有する。
【００２１】
ある好ましい実施形態において、前記ケース本体は、前記シャッタ開放溝と平行に延びており、前記弾性部材が摺動するための弾性部材摺動溝と、弾性部材摺動溝の一端に設けられた凹部とを前記第１の側面に有し、前記弾性部材は、前記シャッタ部が前記ヘッド開口部を閉塞した状態において、前記凹部と係合して、前記シャッタ部が移動しないように前記シャッタ部をロックする。
【００２２】
ある好ましい実施形態において、前記シャッタは、前記ヘッド開口部を覆うシールドと前記操作部を有するロック解除部材とを含み、前記シャッタオープナが前記操作部と当接することによって、前記ロック解除部材が前記弾性部材と前記凹部との係合を解除し、前記シャッタオープナが前記弾性部材の付勢力に抗して前記シャッタ部を移動させる。
【００２３】
ある好ましい実施形態において、前記ケース本体は、前記ディスク駆動装置へ挿入する際、前記ディスク駆動装置と対向する位置にある第３の側面および前記第３の側面と対向する第４の側面を有し、前記第３の側面に開口が形成されるように前記シャッタ開放溝は前記第３の側面に達している。
【００２４】
ある好ましい実施形態において、ディスクカートリッジは、情報記録面を有する前記ディスク状の情報記録媒体をさらに備え、シャッタの開放時において前記情報記録面の一部が前記ヘッド開口部から露出するように前記情報記録媒体が前記ケース本体に収納されている。
【００２５】
ある好ましい実施形態において、前記ケース本体は前記第１および第２の側面に挟まれており、前記底面と対向する上面を有し、前記情報記録媒体がディスク駆動装置内において、情報の記録および／または再生を行うことが可能なように保持された状態において、前記情報記録媒体の情報記録面より上面側に前記保持凹部が位置するよう、前記保持凹部がシャッタ開放溝の底部に設けられている。
【００２６】
ある好ましい実施形態において、前記保持凹部は、前記ケース本体の上面と底面との間の上半分に位置するよう前記保持凹部がシャッタ開放溝の底部に設けられている。
【００２７】
本発明のディスク駆動装置は、シャーシと、前記シャーシに支持されており、ターンテーブルを有するモータと、前記シャーシに支持されており、情報の記録および／または再生を行うヘッドと、請求項１から１２のいずれかに規定されるディスクカートリッジを挿入する挿入口、および、前記ディスクカートリッジを保持する空間を有するホルダであって、前記ターンテーブルと干渉することなく、前記ディスクカートリッジを前記挿入口から出し入れすることが可能な第１の位置、および、前記空間に保持されたディスクカートリッジの情報記録媒体を前記ターンテーブルに載置する第２の位置をとり得るように前記シャーシに対して回動可能に取り付けられたホルダと、前記ホルダにスライド可能なように設けられており、前記ホルダに挿入されたディスクカートリッジを前記挿入口から排出するように前記ディスクを付勢するスライダと、前記スライダに接続されており、前記ディスクカートリッジの保持凹部と係合する捕捉体と、を備え、前記ディスクカートリッジが保持されていない状態で前記ホルダが第２の位置にあるように前記ホルダを回転させたとき、前記捕捉体が前記ヘッドと干渉しないように前記捕捉体が前記ホルダに設けられている。
【発明の効果】
【００２８】
本発明のディスクカートリッジによれば、シャッタを閉じる方向に付勢する弾性部材を備えているため、ヘッド開口部を開放すべきとき以外は確実にヘッド開口部を閉塞することによって、防塵性を高めることができる。また、保持凹部をシャッタ開放溝の中に設けているので、弾性部材の反力を防ぐためにディスク駆動装置に設けた捕捉体が、保持凹部から脱落しにくく、かつ、捕捉体と記録再生ヘッドのレンズアクチュエータとの干渉を避けることができる。これにより、小型で防塵性の良いディスクカートリッジが得られる。
【発明を実施するための最良の形態】
【００２９】
以下、本発明のディスクカートリッジの実施形態を説明する。図１は、ディスクカートリッジ５１を分解して示す斜視図であり、図２および図３は、それぞれシャッタが閉じた状態およびシャッタが開いた状態におけるディスクカートリッジ５１の外観を示す斜視図である。
【００３０】
ディスクカートリッジ５１は、ディスク状の情報記録媒体３と、ケース本体１０と、シャッタ１１と、弾性部材７とを備えている。
【００３１】
情報記録媒体３は、光や磁気などによって情報を記録したり記録された情報を光や磁気などによって再生することが可能な記録層を備えている。記録層は、一度だけ書き込みが可能なタイプであってもよいし、複数回書き換えが可能なタイプであってもよい。また、記録層は、既にデータが記録されており、書き込みのできないタイプであってもよい。情報記録媒体３の大きさにも特に制限はない。しかし、本発明は、小さい直径の情報記録媒体を収納し、外形の小さいディスクカートリッジを実現するのに特に適している。好適な情報記録媒体３の直径は、８０ｍｍ以下程度である。
【００３２】
ケース本体１０は上ハーフ１および下ハーフ２を含み、情報記録媒体３を回転自在に収納する。情報記録媒体３がターンテーブルに安定して載置されるように、情報記録媒体３のセンターホール近傍に配置され、磁気によって吸着されるクランピングプレート４をケース本体１０は、一緒に含んでいてもよい。図に示すように、ケース本体１０は、情報の記録および／または再生を行うディスク駆動装置へ挿入される挿入方向Ａに対して平行であり、かつ、互いに対向している第１の側面２ａおよび第２の側面２ｂと、第１および第２の側面に挟まれ、互いに対向している上面１ａおよび底面２ｃとを有する。また、ディスク駆動装置へ挿入する際、ディスク駆動装置と対向する位置にある第３の側面２ｄは、本実施形態では緩やかな凸状の曲面で構成し、第３の側面２ｄと対向する第４の側面２ｅは平面で構成している。このように第３の側面２ｄのみを異なる形状とし、かつ、凸状の曲面で構成することによって、ディスクカートリッジ５１の挿入方向を容易に判断することが可能となる。
【００３３】
ケース本体１０には、収納された情報記録媒体３の一部を露出するヘッド開口部１２が設けられており、ヘッド開口部１２を介して情報の記録および／または再生を行うヘッドが情報記録媒体３へアクセスする。ヘッド開口部１２は、底面２ｃに設けられた底面開口２１を含む。好ましくは、第１の側面２ａに設けられた側面開口２２をさらに含み、底面開口２１および側面開口２２は連続している。つまり、ヘッド開口部１２は底面２ｃから第１の側面２ａにかけて設けられている。第１の側面２ａには、挿入方向Ａに対して平行に延びるように設けられたシャッタ開放溝２４が形成されている。シャッタ開放溝２４は、第３の側面２ｄに開口が形成されるよう、第３の側面２ｄに達している。シャッタ開放溝２４の底部であって、第３の側面２ｄに近接した位置には保持凹部２６が設けられている。
【００３４】
ケース本体１０を上ハーフ１および下ハーフ２によって構成する場合、第１の側面２ａおよび第２の側面２ｂのどの部分を上ハーフ１および下ハーフ２によって構成するかを任意に決定することができる。本実施形態では、第１の側面２ａに設けられたシャッタ開放溝２４の底部は、下ハーフ２の側面リブ２３によって構成する。したがって、シャッタ開放溝２４の底部に設けられた保持凹部２６も側面リブ２３に連続して下ハーフ２に形成している。保持凹部２６をもうけることにより、リブ２３の上ハーフ１との接合面積が増える。このため、上ハーフ１と下ハーフ２との接合強度が増す。
【００３５】
保持凹部２６を形成する４つの側面のうち、底面２ｃと垂直であり、第３の側面２ｄに近接した側面２６ｄは、以下において説明する捕捉体が確実に係合するよう、シャッタ開放溝２４の底部に対して垂直であることが好ましい。一方、底面２ｃと垂直であり、第４の側面２ｅに近接した側面２６ｅは、たとえば、シャッタ開放溝２４の底部と鈍角をなすよう傾斜していてもよい。このような傾斜した斜面２６ｅにすることによってカートリッジ本体１０の内部の空間を広げることができる。
【００３６】
ケース本体１０の底面２ｃには一対の位置決め穴２９が設けられている。位置決め穴２９の１つは、ケース本体１０の第３の側面２ｄに隣接し、第３の側面２ｄにも開口が設けられている。位置決め穴２９はディスク駆動装置に設けられた位置決めピンと係合し、ディスク駆動装置内におけるディスクカートリッジ５１の位置決めをするために用いられる。ディスク駆動装置へ挿入する際、ディスク駆動装置と対向する位置にある第３の側面２ｄにも位置決め穴２９の開口が設けられているため、第３の側面２ｄに隣接した位置決め穴２９へは、側面２ｄの開口から位置決めピンを挿入することが可能となる。このため、一端に設けられた回転軸を中心に回動するホルダを有し、ホルダを上下させることにより、ホルダに挿入されたディスクカートリッジをディスク駆動装置へ装填する構造をディスク駆動装置が採用する場合でも、ディスクカートリッジ５１の装填および排出のためにホルダを回転させる角度が小さくてすみ、ディスク駆動装置を小型化することができる。
【００３７】
なお、ケース本体１０の底面２ｃおよび第１の側面２ａの両方に凹部を有する保持切り欠き２５を設けてもよい。また、同様に底面２ｃおよび第２の側面２ｂの両方に凹部を有する保持切り欠き２５を設けてもよい。これらの保持切り欠き２５は、たとえば、複数のディスクカートリッジを収納する連装型のラックを備えたディスク駆動装置において、ディスクカートリッジをラックと記録再生が可能な位置との間で自動的に移動させるチェンジャと係合するために用いることができる。さらに、第２の側面２ｂに切り欠きあるいは凹部３０を設けてもよい。
【００３８】
第１の側面２ａにおいて、ヘッド開口部１２の側面開口２２は底面２ｃ側に位置している。シャッタ開放溝２４および保持凹部２６は側面開口２２と干渉しないよう、シャッタ開放溝２４を構成する側壁を介して側面開口２２の上側、つまり上面１ａ側に形成されている。
【００３９】
第１の側面２ａには、また、弾性部材摺動溝３１が設けられている。弾性部材摺動溝３１はシャッタ開放溝２４と平行に設けられており、かつ連通している。以下において詳細に説明するように、弾性部材７の端部が弾性部材摺動溝３１において摺動し、シャッタ１１の一部を付勢する。弾性部材摺動溝３１の両端には凹部２７、２８が設けられている。凹部２８は弾性部材７の一端を固定する。凹部２７は、弾性部材７の他端と係合する場合には、弾性部材７の伸縮を妨げ、以下で詳細に説明するようにシャッタ１１が移動しないようにシャッタ１１をロックする。弾性部材７の他端が凹部２７から脱離し、弾性部材摺動溝３１の底部にあるときは、弾性部材摺動溝３１内で弾性部材７の他端が移動する。
【００４０】
シャッタ１１は、シールド５およびロック解除部材８を含む。シールド５はヘッド開口部１２の底面開口２１を覆うための底面部５ｂおよび側面開口２２を覆うための側面部５ａと、側面部５ａの端部に設けられ、シャッタ開放溝２４に挿入される係合部５ｅとを有する。係合部５ｅの両端にはロック解除部材８を保持するために、矩形底部を有するＵ字形の保持部５ｄが設けられている。また、シールド５は、矩形の切り欠きを有し、シャッタ開放溝２４に挿入される当接部５ｃを有する。
【００４１】
ロック解除部材８は弾性部材７によるシャッタ１１のロックを解除する。このために、ロック解除部材８は、ディスク駆動装置のシャッタオープナ９０が当接する操作部８１と傾斜部を有する切り欠きが設けられた当接部８２ａとを両端に備える。ロック解除部材８はシールド５の係合部５ｅの両端の保持部５ｄに挿入され、ロック解除部材８および係合部５ｅがシャッタ開放溝２４に挿入される。係合部５ｅの長さＬ１はロック解除部材８の操作部８１と当接部８２ａとの間隔Ｌ２よりも短くなっている。シールド５の底面部５ｂの端部は押さえ６によって、ケース本体の底面２ｃから浮きが生じないように押さえつけられる。
【００４２】
シャッタ開放溝２４内に挿入されたロック解除部材８および係合部５ｅと、押さえ６とによって案内され、シャッタ１１は、挿入方向Ａと平行に摺動する。これにより、シャッタ１１は、ヘッド開口部１２を閉塞した状態および開放した状態をとることができる。
【００４３】
弾性部材７は、シャッタ１１の当接部８２ａと当接し、シャッタ１１がヘッド開口部１２を閉塞するように、挿入方向Ａに向かってシャッタ１１を付勢する。本実施形態では弾性部材７はねじりばねによって構成されているが、他の形状のばねや樹脂などによって成形した弾性部材を用いてもよい。弾性部材７は、端部７１および端部７２を有し、弾性変形するが、端部７１および端部７２とが所定の距離を維持するように復元する。端部７２は弾性部材摺動溝３１の凹部２８に挿入される。一方、端部７１は、シャッタ１１がヘッド開口部１２を閉塞した状態にあるときには凹部２７に係合しており、挿入方向Ａと平行ないずれの方向へも移動できない。シャッタ１１が開放動作を行っているときには、端部７１は弾性部材摺動溝３１の底部を摺動する。図２に示すように、シャッタ１１が閉塞した状態では、シャッタ開放溝２４内において、ロック解除部材８の操作部８１は、保持凹部２６よりも第４の側面２ｅに位置している。言い換えれば、保持凹部２６は、ロック解除部材８の操作部８１よりも第３の側面２ｄに近接している。
【００４４】
次にシャッタ１１の動作を説明する。図２に示すように、ディスクカートリッジ５１を挿入方向Ａで示すようにディスク駆動装置に挿入すると、シャッタオープナ９０が、第３の側面２ｄに設けられた開口からシャッタ開放溝２４内へ挿入される。シャッタオープナ９０はディスク駆動装置内で固定されているので、ディスクカートリッジ５１の挿入にともなって、シャッタオープナ９０が相対的にシャッタ開放溝２４内を挿入方向Ａと逆の方向Ｄに進む。そして、ロック解除部材８の操作部８１と当接し、ロック解除部材８を方向Ｄへ押す。上述したように、ロック解除部材８の操作部８１と当接部８２ａとの間隔Ｌ２は、シールド５の係合部５ｅの長さＬ１より長いので、シールド５を伴わずにロック解除部材８のみが、まず、方向Ｄへ移動する。これにより、当接部８２ａの切り欠きに弾性部材７の端部７１が挿入される。
【００４５】
シャッタオープナ９０の相対的な移動により、ロック解除部材８がさらに方向Ｄへ移動すると、切り欠きの傾斜部に弾性部材７の端部７１が当接し、凹部２７から端部７１が持ち上げられ、弾性部材摺動溝３１の底部へ移動する。これにより、ロックが解除される。ロック解除部材８がさらに方向Ｄへ移動すると、当接部８２ａがシールド５の係合部５ｅの保持部５ｄと当接し、シャッタオープナ９０の相対的な移動により、ロック解除部材８およびシールド５が一体的に方向Ｄへ移動する。このとき、弾性部材７の端部７１は弾性部材摺動溝３１の底部上を移動する。つまり、シャッタ１１がヘッド開口部１２を開放し始める。
【００４６】
その後、ディスクカートリッジ５１の挿入動作にともなって、シャッタオープナ９０がさらにシャッタ開放溝２４内を相対的に移動し、シールド５が方向Ｄへ移動する。これにより、ヘッド開口部１２が完全に開放され、情報記録媒体３がヘッド開口部１２から露出する。
【００４７】
ディスクカートリッジ５１がディスク駆動装置内に完全に挿入されると、情報記録媒体３がディスク駆動装置のターンテーブルに載置される。このとき、シャッタオープナ９０はシャッタ開放溝２４内の所定の位置にあり、弾性部材７によってシャッタ１１がヘッド開口部１２を閉塞する方向に移動するのを防止する。したがって、ディスク駆動装置内にディスクカートリッジ５１が装填されている間は、シャッタ１１がヘッド開口部１２を開放した状態を保っている。
【００４８】
イジェクトボタンなどを押して、ディスクカートリッジ５１をディスク駆動装置から排出する場合、図示しない排出機構が、ディスクカートリッジ５１を挿入方向Ａと反対の方向に排出する。シャッタオープナ９０が、シャッタ開放溝２４内で相対的に挿入方向Ａへ移動するため、弾性部材７の端部７１が当接部８２ａを挿入方向Ａへ付勢し、シャッタ１１を挿入方向Ａへ付勢する。つまり、弾性部材７は、ヘッド開口部１２が閉塞するようにシャッタ１１を付勢する。ヘッド開口部１２が完全に閉塞する位置にシャッタ１１が移動すると、弾性部材７の端部７１が弾性部材摺動溝３１の凹部２７に挿入される。これにより、シャッタ１１がヘッド開口部１２を完全に閉塞する。また、シャッタ１１が移動して、ヘッド開口部１２を開放しないよう、ロックする。
【００４９】
シャッタ１１のシールド５のみを手などによって方向Ｄへ移動させようとする場合、ロック解除部材８の操作部８１と当接部８２ａとの間隔Ｌ２は、シールド５の係合部５ｅの長さＬ１より長いため、シールド５のみが方向Ｄへ移動し、シールド５の係合部５ｅの一端に設けられた当接部５ｃが弾性部材７の端部７１と当接する。しかし、当接部５ｃの切り欠きは矩形であるため、凹部２７から端部７１を持ち上げることはできず、端部７１はシールド５の方向Ｄへ移動することができない。つまりシャッタ１１は弾性部材の端部７１によってロックされたままとなり、ロックは解除されない。また、ロック解除部材８の操作部８１はシャッタ開放溝２４内に位置しているため、ユーザが指などによって操作部８１を押圧してシャッタ１１を開放させることも困難である。
【００５０】
本実施形態によれば、弾性部材７によって、シャッタ１１がヘッド開口部１２を閉塞するように付勢している。このため、ヘッド開口部１２を開放すべき時以外は、確実にヘッド開口部１２を閉塞し、防塵性を高めることができる。たとえば、ディスクカートリッジ５１を落下させた場合でも落下による衝撃でヘッド開口部１２が開放するのを防止することができる。また、ロック解除部材８を用い、ロック解除部材８の当接部８１を操作したときのみシャッタを開放させることができるようにすることによって、シャッタを誤って、あるいは、意図的に操作してヘッド開口部を開放させてしまうことを防止することができる。
【００５１】
次にディスク駆動装置へのディスクカートリッジ５１の装填を詳細に説明する。図４はディスクカートリッジ５１に適合したディスク駆動装置の一例を示している。このディスク駆動装置は、シャーシ２０１、カートリッジホルダ２０２、およびスピンドルモータ２０５を備える。
【００５２】
シャーシ２０１には、ターンテーブルを有するスピンドルモータ２０５が支持されている。図４では示していないが、ディスク駆動装置は記録、再生のためのヘッドを備え、ヘッドがシャーシ２０１に支持されている。シャーシ２０１には、ディスクカートリッジ５１内の情報記録媒体３がスピンドルモータ２０５のターンテーブル５に正しく載置されるよう、ディスクカートリッジ５１の位置を定める位置決めピン２０１ａが設けられている。シャーシ２０１はダンパ２０８によってディスク駆動装置の筐体などに固定されている。
【００５３】
ホルダ２０２は、ディスクカートリッジ５１を挿入するための挿入口２０２ｂおよびディスクカートリッジを保持するための空間２０２ｃを有する。ホルダ２０２の側面には、スライダ２０３が設けられており、ばね２０４によって矢印Ａと逆の方向、つまり、挿入口２ｂからディスクカートリッジ５１を排出する方向に付勢されている。スライダ２０３には、ホルダ２に挿入されたディスクカートリッジ５１の第３の側面２ｄと当接する当接部を有する。また、ディスクカートリッジ５１の保持凹部２６と係合する捕捉体１１０が接続されている。
【００５４】
挿入口２０２ｂから矢印Ａで示すようにディスクカートリッジ５１をホルダ２０２の空間２０２ｃ内へ挿入すると、ディスクカートリッジ５１がスライダ２０３と当接する。ばね２０４に抗してディスクカートリッジ５１を押し込むことによって、ディスクカートリッジ５１がさらに挿入され、ホルダ２０２に保持される。この際、以下で説明するように捕捉体１１０がディスクカートリッジ５１と係合する。ディスクカートリッジの挿入が完了すると、スライダ２０３はホルダ２０２に対して図示しないロック機構によりロックされる。挿入に伴って、ディスクカートリッジのシャッタが開放される。
【００５５】
ホルダ２０２は、回動軸２０２ａ周りに回転可能なようにシャーシ２０１に取り付けられている。図４は、挿入口２０２ｂからホルダ２０２にディスクカートリッジ５１を出し入れすることのできる位置にホルダ２０２がある状態を示している。この位置を第１の位置と呼ぶ。
【００５６】
ディスクカートリッジ５１をホルダ２０２に挿入した状態でホルダ２０２をシャーシ２０１に接近させてゆくと、ディスクカートリッジ内の情報記録媒体３がスピンドルモータ５のターンテーブルに載置される位置にホルダ２０２が移動する。この位置を第２の位置と呼ぶ。第２の位置において、情報記録媒体３はスピンドルモータ５の駆動力を受けて回転し、ヘッドを用いて、記録ディスクへのデータの書き込みおよび／または記録ディスクからのデータの読み出しをおこなうことができる。
【００５７】
ホルダ２０２を回転させて第２の位置から再び第１の位置へ戻すと、スライダ２０３のロックが外れて、ばね２０４の弾性によりスライダ２０３が所定の位置まで戻る。これにより、挿入口２ｂから所定の距離だけディスクカートリッジが排出され、ディスクカートリッジの取り出しが可能となる。
【００５８】
図５Ａから図５Ｄを参照して、ホルダ２０２へのディスクカートリッジ５１の挿入および排出動作をさらに詳細に説明する。図５Ａから図５Ｄでは、捕捉体１１０、スライダ２０３、ばね２０４およびシャッタオープナ９０は模式的に示されている。上述したように、捕捉体１１０およびスライダ２０３はホルダ２０２に対して移動可能に支持されており、ばね２０４によって、矢印Ａと反対の方向に付勢されている。一方、シャッタオープナ９０はホルダ２０２に対して固定されている。
【００５９】
図５Ａに示すように、ディスクカートリッジ５１を矢印Ａのようにホルダ２０２内へ挿入してゆくと、シャッタオープナ９０が、シャッタ１１のロック解除部材８の操作部８１と当接する。さらにディスクカートリッジ５１を挿入すると、上述したようにシャッタオープナ９０と当接したロック解除部材８がばね７によるロックを解除する。
【００６０】
図５Ｂに示すように、ディスクカートリッジ５１をさらに矢印Ａで示すようにホルダ２０２内へ挿入してゆくと、シャッタオープナ９０と当接したロック解除部材８およびシールド５がその位置にとどまるのに対して、ディスクカートリッジ５１の本体１０がホルダ２０２内へ挿入されるため、相対的にシャッタ１１が矢印Ａと反対の方向へ移動する。そして、ケース本体１０の保持凹部２６が捕捉体１１０と係合する。このとき、スライダ２０３もケース本体１０の第３の側面２ｄと当接する。このため、ディスクカートリッジ５１をさらに矢印Ａで示すようにホルダ２０２内へ挿入するにはスライダ２０３と接続されたばね２０４の付勢力に抗してディスクカートリッジ５１を押す必要がある。
【００６１】
図５Ｃに示すように、ディスクカートリッジ５１がホルダ２０２内へ完全に挿入されると、スライダ２０３はホルダ２０２に対してロックされる。挿入に伴って、ディスクカートリッジ５１のシャッタ１１が開放される。この状態でホルダ２０２をシャーシ２０１側へ回転させ、第２の位置へ移動させることによってディスクカートリッジ５１内の情報記録媒体３がターンテーブルに載置される。
【００６２】
ホルダ２０２を回転させて、第２の位置から再び第１の位置へ戻すと、スライダ２０３のロックが解除される。このため、図５Ｄに示すように、スライダ２０３がばね２０４の付勢力によって矢印Ｄの方向へ移動する。これにともない、ディスクカートリッジ５１１がホルダ２０２から押し出される。このとき、ディスクカートリッジ５１の弾性部材７はシャッタ１１のロック解除部材８を押す。このため、シャッタ１１は、ディスクカートリッジ５１のケース本体１０と一緒には矢印Ｄの方向へ移動せず、ロック解除部材８がシャッタオープナ９０と当接した状態を保つ。つまり、シャッタ１１が閉じるように相対的にケース本体１０に対して移動する。スライダ２０３に接続されたばね２０４がもとの状態に戻ると、スライダ２０３の移動は停止する。このとき、ディスクカートリッジ５１の先端は、ホルダ２０２の先端から距離Ｓだけとび出している。これにより排出動作が完了する。このように、ディスクカートリッジ５１の装填および排出動作中、スライダ２０３の移動にともなって捕捉体１１０も移動する。
【００６３】
次に、ディスク駆動装置内におけるディスクカートリッジ５１の配置を詳細に説明する。図６はディスク駆動装置内におけるディスクカートリッジ５１の下ハーフの配置を示す平面図であり、図７はそのＢ−Ｂの位置におけるディスクカートリッジ５１全体の断面図である。図６および図７において、ディスクカートリッジ５１はディスク駆動装置に装填されシールド５は完全に開いた位置にある。ヘッド１００は情報記録媒体３の最外周位置にあり、対物レンズ１０２を駆動してフォーカスおよびトラッキング動作をするレンズアクチュエータ１０１がヘッド開口部１２に挿入されている。ヘッド開口部１２が側面開口２２を含んでいるため、レンズアクチュエータ１０１の外形が大きくても、側面開口２２内にレンズアクチュエータ１０１が嵌入し、ケース本体１０とレンズアクチュエータ１０１が接触あるいは干渉することがない。このため、レンズアクチュエータの大きさに制限はなく、大きなレンズアクチュエータを搭載したディスク駆動装置であっても本発明のディスクカートリッジ５１を装填することができる。
【００６４】
また、ディスクカートリッジ５１の側面と、情報記録媒体との間にレンズアクチュエータが接近することのできるような空間を設ける必要がなくなるため、ディスクカートリッジ５１のケース本体１０の幅（挿入方向Ａと直行する方向）を小さくすることができる。
【００６５】
このように、ディスクカートリッジ５１がディスク駆動装置内に装填された状態において、ヘッド１００とディスクカートリッジ５１との干渉や接触を確実に回避するためには、図７に示すように、情報記録媒体３が、情報の記録および／または再生を行うことが可能なように保持された状態において、底面２ａから情報記録媒体の情報記録面３ａと同じ高さの位置Ｈ１にまでヘッド開口部１２の側面開口２２が形成されていることが好ましい。
【００６６】
上述したようにディスクカートリッジ５１を駆動装置に装填する場合、ホルダ２０２が上昇した第１の位置においてホルダ２０２内にディスクカートリッジ５１を挿入し、捕捉体１１０をシャッタ開放溝２４内の保持凹部２６に係合させて保持する。その後、ホルダ２０２を回転させることにより、ディスクカートリッジ５１全体を捕捉体１１０とともに降下させ、位置決めピンを用いて所定の位置にディスクカートリッジ５１を装填する。
【００６７】
この時、上述したようにシャッタ１１が開放されるので、情報記録媒体がターンテーブルに載置され、記録または再生ヘッドのレンズアクチュエータがヘッド開口部に挿入される。ディスクカートリッジ５１の降下中は捕捉体１１０によって位置決めされており、降下中にターンテーブルや記録再生ヘッドがディスクカートリッジ５１と接触しないよう正確に保持する必要がある。一般に下ハーフ２と上ハーフ１との接合には多少ずれが生じるため、保持凹部２６を本実施例のように下ハーフ２と一体に形成する方がより正確な保持が可能となる。
【００６８】
一方、この状態からディスクカートリッジ５１を排出する場合、ホルダ２０２を回転させてディスクカートリッジ５１を持ち上げる。これによりスライダ２０３のロックが解除され、スライダ２０３がディスクカートリッジ５１の一部を排出させる。この時、弾性部材７の反力でディスクカートリッジ５１がディスク駆動装置から飛び出さないよう捕捉体１１０は保持凹部２６に係合したままイジェクト位置までディスクカートリッジ５１を移動させる。
【００６９】
図８は図６に示す方向Ｃからディスクカートリッジ５１全体を見た側面図である。図８において、保持凹部２６に係合してディスクカートリッジ５１を保持している捕捉体１１０は、イジェクト時には、いったんディスクカートリッジ５１を持ち上げ、距離Ｓだけ挿入口側へ移動した待機位置１１１に移動する。ディスクカートリッジ５１を取り出した後、捕捉体１１０はその位置で待機する。次にディスクカートリッジ５１が挿入されると、捕捉体１１０がディスクカートリッジを保持し、実線で示す元の位置に戻る。
【００７０】
ディスクカートリッジ５１をホルダ２０２に挿入しない空の状態では捕捉体１１０が待機位置１１１にあるまま降下することになる。しかし、保持凹部２６は側面開口２２より高い位置にあるため、待機位置１１１がヘッド開口部１２の側面開口２２の上方に位置していても、捕捉体１１０がヘッド１００のレンズアクチュエータ１０１に干渉することはない。
【００７１】
このような捕捉体１１０の動作を、保持凹部２６に換えて保持切欠き２５を用い、保持切欠き２５と係合する捕捉体１２０で行うと、保持切欠き２５が側面開口２２と同じ高さにあるので、捕捉体１２０の待機位置１２１は側面開口２２に入り込んでしまう。このため、記録再生ヘッド１００が最外周近辺にある場合、ディスクカートリッジ５１を挿入しない空の状態でレンズアクチュエータ１０１と干渉する恐れがある。本発明によればこのような可能性を排除することができる。
【００７２】
なお、捕捉体１１０とヘッド１００との干渉を防止するためには、図７に示すように、情報記録媒体３がディスク駆動装置内において、情報の記録および／または再生を行うことが可能なように保持された状態において、情報記録媒体３の情報記録面３ａの位置Ｈ１より上面１ａ側に保持凹部２６が位置するよう、シャッタ開放溝２４も情報記録媒体３の情報記録面３ａの位置Ｈ１より上面１ａ側に設けることが好ましい。特に、保持凹部２６が、ケース本体の上面１ａと底面２ａとの中間の位置Ｈ２よりも上方、つまり、上面１ａと底面２ａとの間の上半分に位置するよう設定することによって、このように、ホルダ２０２を空のまま降下させても、保持凹部２６と係合する捕捉体１１０がヘッド１００と干渉することを確実に防止することができる。
【００７３】
このように、本実施形態によれば、弾性部材による反力によってディスクカートリッジが飛び出すのを防止する捕捉体は、シャッタ開放溝内に設けられた保持凹部と係合する。このため、捕捉体が、保持凹部から多少浮き上がっても、捕捉体はなおシャッタ開放溝内にあり、シャッタ開放溝が捕捉体の位置を規制する。このため、捕捉体が保持凹部から脱落しにくく、確実にディスクカートリッジの移動を防止することができる。また、保持凹部を設ける領域をシャッタ開放溝以外に確保しなくてもよく、小型のディスクカートリッジの側面に効率的に保持凹部を設けることができる。さらに、ヘッド開口部はシャッタ開放溝よりも底面側にもうけられており、シャッタ開放溝とヘッド開口部と連通していないため、ディスクカートリッジの挿入あるいは排出時に捕捉体がヘッド開口部内に入りこむことがない。
【００７４】
なお、本実施形態では、ヘッド開口部１２はケース本体の裏面にのみ設けられていたが、ケース本体の上面にもヘッド開口部を備えていてもよい。
【００７５】
また、本実施形態では、弾性部材がシャッタのロックする構造を採用していたが、弾性部材以外の別なロック機構をディスクカートリッジに設けてもよいし、ロック機構を備えていなくてもよい。
【産業上の利用可能性】
【００７６】
本発明によれば、小型で防塵性の高いディスクカートリッジが提供される。このディスクカートリッジは、光あるいは光磁気、磁気などを用いて記録を行う種々のディスク状情報記録媒体に適用することが可能である。特に、小型で高記録密度の情報記録媒体に好適に用いることができる。
【図面の簡単な説明】
【００７７】
【図１】本発明によるディスクカートリッジの実施形態を示す分解斜視図である。
【図２】図１に示すディスクカートリッジの外観斜視図であって、シャッタが閉じた状態を示している。
【図３】図１に示すディスクカートリッジの外観斜視図であって、シャッタが開いた状態を示している。
【図４】図１に示すディスクカートリッジに対応したディスク駆動装置の構造を示す斜視図である。
【図５Ａ】図４に示すディスク駆動装置に図１に示すディスクカートリッジを装填する途中の状態を示す平面図である。
【図５Ｂ】図４に示すディスク駆動装置に図１に示すディスクカートリッジを装填する途中の状態を示す平面図である。
【図５Ｃ】図４に示すディスク駆動装置に図１に示すディスクカートリッジが装填された状態を示す平面図である。
【図５Ｄ】図４に示すディスク駆動装置から図１に示すディスクカートリッジを排出した状態を示す平面図である。
【図６】図１に示すディスクカートリッジがディスク駆動装置内に装填された場における下ハーフの配置を示す平面図である。
【図７】図６に示すＢ−Ｂ位置におけるディスクカートリッジ全体の断面を示している。
【図８】図６に示すＣ方向からディスクカートリッジ全体を見た側面図を示している。
【符号の説明】
【００７８】
１  上ハーフ
２  下ハーフ
３  情報記録媒体
４  クランピングプレート
５  シールド
６  押さえ
７  弾性部材
８  ロック解除部材
１０  ケース本体
１１  シャッタ
２１  底面開口
２２  側面開口
２３  側面リブ
２４  シャッタ開放溝
２５  保持切欠き
２６  保持凹部
９０  シャッタオープナ
１００  ヘッド
１０１  レンズアクチュエータ
１０２  対物レンズ
１１０  捕捉体
１１１  待機位置の捕捉体
【手続補正３】
【補正対象書類名】図面
【補正対象項目名】全図
【補正方法】変更
【補正の内容】
【図１】
2005055235.tif 000013
【図２】
2005055235.tif 000014
【図３】
2005055235.tif 000015
【図４】
2005055235.tif 000016
【図５Ａ】
2005055235.tif 000017
【図５Ｂ】
2005055235.tif 000018
【図５Ｃ】
2005055235.tif 000019
【図５Ｄ】
2005055235.tif 000020
【図６】
2005055235.tif 000021
【図７】
2005055235.tif 000022
【図８】
2005055235.tif 000023
【国際調査報告】
2005055235.tif 000024
2005055235.tif 000025
2005055235.tif 000026
2005055235.tif 000027